(57)【特許請求の範囲】
【請求項１】
表示部と、
この表示部を複数の表示領域に区分するとともに、記憶手段に記憶されている画像データを該表示部に再生表示する再生表示手段と、
前記複数の表示領域の中からいずれかの表示領域を指定する指定手段と、
この指定手段により指定された表示領域の画像を前記表示部に拡大表示する表示制御手段と、
を備えた画像表示装置において、
方向を指示する方向指示手段と、
前記指定手段により拡大表示させる画像の表示領域を指定する際に、前記方向指示手段により指示された方向に基づいて前記複数の表示領域の指定順序を設定する指定順序設定手段とを備え、
この指定順序設定手段により指定順序の設定された前記複数の表示領域の中から前記指定手段により該指定順序に従って指定された表示領域の画像を、前記表示制御手段により前記表示部に拡大表示することを特徴とする画像表示装置。
【請求項２】
表示部と、
この表示部を複数の表示領域に区分するとともに、記憶手段に記憶されている画像データを該表示部に再生表示する再生表示手段と、
前記複数の表示領域の中からいずれかの表示領域を指定する指定手段と、
この指定手段により指定された表示領域の画像を前記表示部に拡大表示する表示制御手段と、
を備えた画像表示装置において、
前記再生表示手段により前記表示部に再生表示された画像に文字列が含まれている場合に、この文字列の表記方向を識別する表記方向識別手段と、
前記指定手段により拡大表示させる画像の表示領域を指定する際に、前記表記方向識別手段により識別された文字列の表記方向に基づいて前記複数の表示領域の指定順序を設定する指定順序設定手段とを備え、
この指定順序設定手段により指定順序の設定された前記複数の表示領域の中から前記指定手段により該指定順序に従って指定された表示領域の画像を、前記表示制御手段により前記表示部に拡大表示することを特徴とする画像表示装置。
【請求項３】
表示部と、
この表示部を複数の表示領域に区分するとともに、記憶手段に記憶されている画像データを該表示部に再生表示する再生表示手段と、
前記複数の表示領域の中からいずれか１つ以上の表示領域を指定する指定手段と、
この指定手段により指定された各表示領域の指定順序を記憶する指定順序記憶手段と、
前記指定手段により指定された各表示領域の画像を、前記指定順序記憶手段に記憶された当該各表示領域の指定順序に従って前記表示部に順次拡大表示する表示制御手段と、
を備えたことを特徴とする画像表示装置。
【請求項４】
表示時間を設定する表示時間設定手段と、
この表示時間設定手段により設定された表示時間を記憶する表示時間記憶手段とを備え、
前記表示制御手段は、前記指定手段により指定された各表示領域の画像を、前記指定順序記憶手段に記憶された当該各表示領域の指定順序に従って、前記表示時間記憶手段に記憶された表示時間毎に前記表示部に順次拡大表示することを特徴とする請求項３記載の画像表示装置。
【請求項５】
表示回数を設定する表示回数設定手段と、
この表示回数設定手段により設定された表示回数を記憶する表示回数記憶手段とを備え、
前記表示制御手段は、前記指定手段により指定された各表示領域の画像を、前記指定順序記憶手段に記憶された当該各表示領域の指定順序に従って前記表示部に順次拡大表示するとともに、この各表示領域の画像の順次拡大表示を前記表示回数記憶手段に記憶された表示回数分だけ繰り返して行なうことを特徴とする請求項３記載の画像表示装置。
【請求項６】
表示部と、
この表示部を複数の表示領域に区分するとともに、記憶手段に記憶されている画像データを該表示部に再生表示する再生表示手段と、
前記複数の表示領域の中から隣接するいずれか２つ以上の表示領域を指定する指定手段と、
この指定手段により指定された各表示領域の指定順序を記憶する指定順序記憶手段と、
前記指定手段により指定された隣接する２つ以上の表示領域内の画像に文字列が含まれている場合、この文字列の行数、または列数を識別する行列数識別手段と、
前記指定手段により指定された各表示領域の画像を、前記指定順序記憶手段に記憶された当該各表示領域の指定順序に従って前記表示部に順次拡大表示するとともに、この各表示領域の画像の順次拡大表示を前記行列数識別手段により識別された文字列の行数、または列数分だけ繰り返して行なう表示制御手段と、
を備えたことを特徴とする画像表示装置。
【請求項７】
繰り返し表示機能の有効、無効を設定する設定手段を備え、
この設定手段により前記繰り返し表示機能を無効と設定した場合は、前記表示制御手段による繰り返し表示を無効とすることを特徴とする請求項５、または請求項６記載の画像表示装置。
【請求項８】
被写体の画像を撮像する撮像手段を備え、
前記再生表示手段は、前記表示部を複数の表示領域に区分するとともに、前記撮像手段により撮像された画像データ、或いは記憶手段に記憶されている画像データを該表示部に再生表示することを特徴とする請求項１、請求項２、請求項３、請求項６のいずれかに記載の画像表示装置。
【請求項９】
画像入力装置とコンピュータとからなる画像処理システムにおいて、
前記コンピュータは、
表示部と、
この表示部を複数の表示領域に区分するとともに、前記画像入力装置から入力された画像データ、或いは当該コンピュータの記憶手段に記憶されている画像データを該表示部に表示する画像表示手段と、
前記複数の表示領域の中からいずれか１つ以上の表示領域を指定する指定手段と、
この指定手段により指定された各表示領域の指定順序を記憶する指定順序記憶手段と、
前記指定手段により指定された各表示領域の画像を、前記指定順序記憶手段に記憶された当該各表示領域の指定順序に従って前記表示部に順次拡大表示する表示制御手段と、
を備えたことを特徴とする画像処理システム。
【請求項１０】
画像入力装置とコンピュータとからなる画像処理システムにおいて、
前記コンピュータは、
表示部と、
この表示部を複数の表示領域に区分するとともに、前記画像入力装置から入力された画像データ、或いは当該コンピュータの記憶手段に記憶されている画像データを該表示部に表示する画像表示手段と、
前記複数の表示領域の中から隣接するいずれか２つ以上の表示領域を指定する指定手段と、
この指定手段により指定された各表示領域の指定順序を記憶する指定順序記憶手段と、
前記指定手段により指定された隣接する２つ以上の表示領域内の画像に文字列が含まれている場合、この文字列の行数、または列数を識別する行列数識別手段と、
前記指定手段により指定された各表示領域の画像を、前記指定順序記憶手段に記憶された当該各表示領域の指定順序に従って前記表示部に順次拡大表示するとともに、この各表示領域の画像の順次拡大表示を前記行列数識別手段により識別された文字列の行数、または列数分だけ繰り返して行なう表示制御手段と、
を備えたことを特徴とする画像処理システム。
【請求項１１】
画像入力装置とコンピュータとからなる画像処理システムにおける画像処理方法であって、
前記コンピュータの表示部を複数の表示領域に区分するとともに、前記画像入力装置から該コンピュータに入力された画像データ、或いは該コンピュータの記憶手段に記憶されている画像データを前記表示部に表示し、
前記複数の表示領域の中からいずれか１つ以上の表示領域が指定されると当該指定された各表示領域の指定順序を記憶して、
前記指定された各表示領域の画像を、前記記憶した当該各表示領域の指定順序に従って前記表示部に順次拡大表示することを特徴とする画像処理方法。
【請求項１２】
画像入力装置とコンピュータとからなる画像処理システムにおける画像処理方法であって、
前記コンピュータの表示部を複数の表示領域に区分するとともに、前記画像入力装置から該コンピュータに入力された画像データ、或いは該コンピュータの記憶手段に記憶されている画像データを前記表示部に表示し、
前記複数の表示領域の中から隣接するいずれか２つ以上の表示領域が指定されると当該指定された各表示領域の指定順序を記憶するとともに、この指定された隣接する２つ以上の表示領域内の画像に文字列が含まれている場合、この文字列の行数、または列数を識別し、
前記指定された各表示領域の画像を、前記記憶した当該各表示領域の指定順序に従って前記表示部に順次拡大表示するとともに、この各表示領域の画像の順次拡大表示を前記識別した文字列の行数、または列数分だけ繰り返して行なうことを特徴とする画像処理方法。
【請求項１３】
コンピュータが読み取り可能なプログラムを格納した記憶媒体であって、
画像入力装置と該コンピュータとからなる画像処理システムにおける画像処理機能を実現するための該コンピュータが実行可能なプログラムを格納し、
前記コンピュータの表示部を複数の表示領域に区分するとともに、前記画像入力装置から該コンピュータに入力された画像データ、或いは該コンピュータの記憶手段に記憶されている画像データを前記表示部に表示させる画像表示ステップと、
指定手段により前記複数の表示領域の中からいずれか１つ以上の表示領域を指定させる指定ステップと、
この指定ステップにおいて指定された各表示領域の指定順序を記憶手段に記憶させる指定順序記憶ステップと、
前記指定ステップにおいて指定された各表示領域の画像を、前記指定順序記憶ステップにより前記記憶手段に記憶された当該各表示領域の指定順序に従って前記表示部に順次拡大表示させる表示制御ステップと、
を備えたことを特徴とする記憶媒体。
【請求項１４】
コンピュータが読み取り可能なプログラムを格納した記憶媒体であって、
画像入力装置と該コンピュータとからなる画像処理システムにおける画像処理機能を実現するための該コンピュータが実行可能なプログラムを格納し、
前記コンピュータの表示部を複数の表示領域に区分するとともに、前記画像入力装置から該コンピュータに入力された画像データ、或いは該コンピュータの記憶手段に記憶されている画像データを前記表示部に表示させる画像表示ステップと、
指定手段により前記複数の表示領域の中から隣接するいずれか２つ以上の表示領域を指定させる指定ステップと、
この指定ステップにおいて指定された各表示領域の指定順序を記憶手段に記憶させる指定順序記憶ステップと、
前記指定ステップにおいて指定された隣接する２つ以上の表示領域内の画像に文字列が含まれている場合、この文字列の行数、または列数を識別させる行列数識別ステップと、
前記指定ステップにおいて指定された各表示領域の画像を、前記指定順序記憶ステップにより前記記憶手段に記憶された当該各表示領域の指定順序に従って前記表示部に順次拡大表示させるとともに、この各表示領域の画像の順次拡大表示を前記行列数識別ステップにおいて識別された文字列の行数、または列数分だけ繰り返して行なわせる表示制御ステップと、
を備えたことを特徴とする記憶媒体。
【発明の詳細な説明】
【０００１】
【発明の属する技術分野】
本発明は画像表示装置、画像処理システム、画像処理方法、及び記憶媒体に係り、詳細には、部分拡大表示機能を備えた画像表示装置、画像処理システム、画像処理方法、及び記憶媒体に関する。
【０００２】
【従来の技術】
近時、撮像した画像をフィルムの代わりに電子的に記憶するデジタルカメラ（画像入力装置）が普及している。このようなデジタルカメラでは、撮影者がシャッターを押すと、撮像レンズを介して取り込んだ被写体の画像が、例えばＣＣＤ（Charge Coupled Device ）などの撮像素子によって捕捉され、データ圧縮などが行なわれた後、カメラ内部の記録媒体に画像データとして記憶される。
【０００３】
このようなデジタルカメラの中には液晶表示ユニットを備え、その表示画面に撮像した画像を再生表示するとともに、この再生表示された画像の一部を所定倍率で拡大表示する部分拡大表示機能を備えるものもある。
【０００４】
このような部分拡大表示機能を備えたデジタルカメラでは、ズームキーが押圧操作されると、例えば、図１８（ａ）に示すように９個の表示領域に区分された表示画面において、まず、中段中央の表示領域（網掛部分）の画像が、例えば２倍などの所定倍率で拡大表示されるとともに、以後、図１８（ｂ）及び図１８（ｃ）に示すように、「＋」キー、或いは「−」キーの押圧操作回数に応じて指定された表示領域の画像が順次同様に表示画面に拡大表示されていた。
【０００５】
【発明が解決しようとする課題】
しかしながら、このような従来のデジタルカメラ（画像入力装置）においては、「＋」キー、或いは「−」キーの押圧操作により拡大表示させる表示領域を指定する際に、前記各キーの押圧操作回数に応じて指定される各表示領域が上記図１８（ｂ）及び図１８（ｃ）に示したように固定化されていたため、以下に述べるような課題があった。
【０００６】
すなわち、例えば、図１９に示すように縦方向に複数の表示領域に渡って拡大表示させたい画像が存在する場合、この画像の存在する複数の表示領域を連続して指定することができず、「＋」キー、或いは「−」キーの押圧操作に無駄が多く、操作性が悪いという課題があった。
【０００７】
また、このように拡大表示させたい画像の存在する複数の表示領域を連続して指定することができないことから、前記画像の存在する複数の表示領域を連続して拡大表示させることができず、途中で「＋」キー、或いは「−」キーの押圧操作回数に応じて不必要な表示領域の画像が拡大表示されてしまい、意図する表示領域の拡大表示画像を視認しづらいという課題があった。
【０００８】
本発明は上記課題を解決すべく、部分拡大表示機能に係わる操作性及び該機能により拡大表示される画像の視認性を高めた画像表示装置、画像処理システム、画像処理方法、及び記憶媒体を提供することである。
【０００９】
【課題を解決するための手段】
請求項１記載の画像表示装置は、
表示部と、
この表示部を複数の表示領域に区分するとともに、記憶手段に記憶されている画像データを該表示部に再生表示する再生表示手段と、
前記複数の表示領域の中からいずれかの表示領域を指定する指定手段と、
この指定手段により指定された表示領域の画像を前記表示部に拡大表示する表示制御手段と、
を備えた画像表示装置において、
方向を指示する方向指示手段と、
前記指定手段により拡大表示させる画像の表示領域を指定する際に、前記方向指示手段により指示された方向に基づいて前記複数の表示領域の指定順序を設定する指定順序設定手段とを備え、
この指定順序設定手段により指定順序の設定された前記複数の表示領域の中から前記指定手段により該指定順序に従って指定された表示領域の画像を、前記表示制御手段により前記表示部に拡大表示することを特徴としている。
【００１０】
請求項１記載の発明によれば、指定順序設定手段は、指定手段により拡大表示させる画像の表示領域を指定する際に、方向指示手段により指示された方向に基づいて複数の表示領域の指定順序を設定し、この指定順序設定手段により指定順序の設定された前記複数の表示領域の中から前記指定手段により該指定順序に従って指定された表示領域の画像を、表示制御手段により表示部に拡大表示する。
【００１１】
したがって、ユーザーにより指示された方向に基づいて各表示領域の指定順序（各表示領域を指定するための指定キーの押圧操作回数）が設定されるので、例えば、縦方向や横方向に連続して連なる複数の表示領域（図１９参照）に拡大表示させたい画像が存在する場合、この画像の存在する前記複数の表示領域を連続して指定することが、また、この複数の表示領域の各画像を連続して表示部に拡大表示させることが可能となり、表示領域の指定に係わる操作性及び拡大表示させる画像の視認性を高めることができる。
その結果、画像表示装置における部分拡大表示機能の使い勝手を向上することができる。
【００１２】
請求項２記載の画像表示装置は、
表示部と、
この表示部を複数の表示領域に区分するとともに、記憶手段に記憶されている画像データを該表示部に再生表示する再生表示手段と、
前記複数の表示領域の中からいずれかの表示領域を指定する指定手段と、
この指定手段により指定された表示領域の画像を前記表示部に拡大表示する表示制御手段と、
を備えた画像表示装置において、
前記再生表示手段により前記表示部に再生表示された画像に文字列が含まれている場合に、この文字列の表記方向を識別する表記方向識別手段と、
前記指定手段により拡大表示させる画像の表示領域を指定する際に、前記表記方向識別手段により識別された文字列の表記方向に基づいて前記複数の表示領域の指定順序を設定する指定順序設定手段とを備え、
この指定順序設定手段により指定順序の設定された前記複数の表示領域の中から前記指定手段により該指定順序に従って指定された表示領域の画像を、前記表示制御手段により前記表示部に拡大表示することを特徴としている。
【００１３】
請求項２記載の発明によれば、再生表示手段により表示部に再生表示された画像に文字列が含まれている場合、指定順序設定手段は、指定手段により拡大表示させる画像の表示領域を指定する際に、表記方向識別手段により識別された前記文字列の表記方向に基づいて複数の表示領域の指定順序を設定し、この指定順序設定手段により指定順序の設定された前記複数の表示領域の中から前記指定手段により該指定順序に従って指定された表示領域の画像を、表示制御手段により前記表示部に拡大表示する。
【００１４】
したがって、再生表示された画像に文字列が含まれている場合、この文字列の表記方向に基づいて各表示領域の指定順序（各表示領域を指定するための指定キーの押圧操作回数）が設定されるので、縦書きや横書きの文字列が含まれた画像（例えば、名刺、看板など）について部分拡大表示を行なう際に、文字列の表記方向に応じて複数の表示領域を連続して指定することが、また、この複数の表示領域の各画像を連続して表示部に拡大表示させることが可能となり、表示領域の指定に係わる操作性を高めることができるとともに、順次拡大表示される画像に含まれる文字列の判読が行ない易くなる。
その結果、画像表示装置における部分拡大表示機能の使い勝手を向上することができる。
【００１５】
請求項３記載の画像表示装置は、
表示部と、
この表示部を複数の表示領域に区分するとともに、記憶手段に記憶されている画像データを該表示部に再生表示する再生表示手段と、
前記複数の表示領域の中からいずれか１つ以上の表示領域を指定する指定手段と、
この指定手段により指定された各表示領域の指定順序を記憶する指定順序記憶手段と、
前記指定手段により指定された各表示領域の画像を、前記指定順序記憶手段に記憶された当該各表示領域の指定順序に従って前記表示部に順次拡大表示する表示制御手段と、
を備えたことを特徴としている。
【００１６】
請求項３記載の発明によれば、表示制御手段は、指定手段により指定された各表示領域の画像を、指定順序記憶手段に記憶された当該各表示領域の指定順序に従って表示部に順次拡大表示する。
【００１７】
したがって、拡大表示させたい表示領域の画像のみを、その表示領域の指定順序に従って表示部に順次拡大表示させることが可能となり、画像表示装置における部分拡大表示機能の使い勝手を向上することができる。
【００１８】
請求項４記載の発明は、請求項３記載の画像表示装置において、
表示時間を設定する表示時間設定手段と、
この表示時間設定手段により設定された表示時間を記憶する表示時間記憶手段とを備え、
前記表示制御手段は、前記指定手段により指定された各表示領域の画像を、前記指定順序記憶手段に記憶された当該各表示領域の指定順序に従って、前記表示時間記憶手段に記憶された表示時間毎に前記表示部に順次拡大表示することを特徴としている。
【００１９】
請求項４記載の発明によれば、表示制御手段は、指定手段により指定された各表示領域の画像を、指定順序記憶手段に記憶された当該各表示領域の指定順序に従って、表示時間記憶手段に記憶された表示時間毎に表示部に順次拡大表示する。
【００２０】
したがって、ユーザーにより指定された各表示領域の画像をその指定順序に従って順次拡大表示させる際に、各画像の拡大表示時間を任意の値に設定し、その表示速度を調整することが可能となり、部分拡大表示機能の使い勝手を向上することができる。
【００２１】
請求項５記載の発明は、請求項３記載の画像表示装置において、
表示回数を設定する表示回数設定手段と、
この表示回数設定手段により設定された表示回数を記憶する表示回数記憶手段とを備え、
前記表示制御手段は、前記指定手段により指定された各表示領域の画像を、前記指定順序記憶手段に記憶された当該各表示領域の指定順序に従って前記表示部に順次拡大表示するとともに、この各表示領域の画像の順次拡大表示を前記表示回数記憶手段に記憶された表示回数分だけ繰り返して行なうことを特徴としている。
【００２２】
請求項５記載の発明によれば、表示制御手段は、指定手段により指定された各表示領域の画像を、指定順序記憶手段に記憶された当該各表示領域の指定順序に従って表示部に順次拡大表示するとともに、この各表示領域の画像の順次拡大表示を表示回数記憶手段に記憶された表示回数分だけ繰り返して行なう。
【００２３】
したがって、ユーザーにより指定された各表示領域の画像をその指定順序に従って順次拡大表示させる際に、各画像の順次拡大表示を繰り返して行なうことが可能となり、拡大表示させる各画像をユーザーに確実に視認させることが可能となる。また、その繰り返し表示回数を任意の値に設定することが可能となり、部分拡表示大機能の使い勝手を向上することができる。
【００２４】
請求項６記載の画像表示装置は、
表示部と、
この表示部を複数の表示領域に区分するとともに、記憶手段に記憶されている画像データを該表示部に再生表示する再生表示手段と、
前記複数の表示領域の中から隣接するいずれか２つ以上の表示領域を指定する指定手段と、
この指定手段により指定された各表示領域の指定順序を記憶する指定順序記憶手段と、
前記指定手段により指定された隣接する２つ以上の表示領域内の画像に文字列が含まれている場合、この文字列の行数、または列数を識別する行列数識別手段と、
前記指定手段により指定された各表示領域の画像を、前記指定順序記憶手段に記憶された当該各表示領域の指定順序に従って前記表示部に順次拡大表示するとともに、この各表示領域の画像の順次拡大表示を前記行列数識別手段により識別された文字列の行数、または列数分だけ繰り返して行なう表示制御手段と、
を備えたことを特徴としている。
【００２５】
請求項６記載の発明によれば、指定手段により指定された隣接する２つ以上の表示領域内の画像に文字列が含まれている場合、表示制御手段は、前記指定手段により指定された各表示領域の画像を、指定順序記憶手段に記憶された当該各表示領域の指定順序に従って表示部に順次拡大表示するとともに、この各表示領域の画像の順次拡大表示を行列数識別手段により識別された文字列の行数、または列数分だけ繰り返して行なう。
【００２６】
したがって、ユーザーにより指定された隣接する２つ以上の表示領域内の画像に文字列が含まれている場合、前記各表示領域の画像をその指定順序に従って表示部に順次拡大表示する際に、各画像の順次拡大表示を前記文字列の行数、または列数分だけ繰り返して行なうので、拡大表示される各画像に含まれる文字列の判読が行ない易くなり、また、前記文字列をユーザーに確実に判読させることができる。
その結果、画像表示装置における部分拡大表示機能の使い勝手を向上することができる。
【００２７】
請求項７記載の発明は、請求項５、または請求項６記載の画像表示装置において、
繰り返し表示機能の有効、無効を設定する設定手段を備え、
この設定手段により前記繰り返し表示機能を無効と設定した場合は、前記表示制御手段による繰り返し表示を無効とすることを特徴としている。
【００２８】
請求項７記載の発明によれば、設定手段により繰り返し表示機能を無効と設定した場合は、表示制御手段による繰り返し表示を無効とする。
【００２９】
したがって、繰り返し表示機能の有効、無効を設定することができるので、拡大表示させる画像の内容に応じて繰り返し表示機能のＯＮ／ＯＦＦ切換えを行なうことが可能となり、部分拡表示大機能の使い勝手を向上することができる。
【００３０】
請求項８記載の発明は、請求項１、請求項２、請求項３、請求項６のいずれかに記載の画像表示装置において、
被写体の画像を撮像する撮像手段を備え、
前記再生表示手段は、前記表示部を複数の表示領域に区分するとともに、前記撮像手段により撮像された画像データ、或いは記憶手段に記憶されている画像データを該表示部に再生表示することを特徴としている。
【００３１】
請求項８記載の発明によれば、再生表示手段は、表示部を複数の表示領域に区分するとともに、撮像手段により撮像された画像データ、或いは記憶手段に記憶されている画像データを該表示部に再生表示する。
【００３２】
したがって、撮像機能を有する画像表示装置において、撮像した画像に対する部分拡大表示の際に、上述した請求項１、請求項２、請求項３、請求項６の効果と同様の効果を奏する。
【００３３】
請求項９記載の画像処理システムは、
画像入力装置とコンピュータとからなる画像処理システムにおいて、
前記コンピュータは、
表示部と、
この表示部を複数の表示領域に区分するとともに、前記画像入力装置から入力された画像データ、或いは当該コンピュータの記憶手段に記憶されている画像データを該表示部に表示する画像表示手段と、
前記複数の表示領域の中からいずれか１つ以上の表示領域を指定する指定手段と、
この指定手段により指定された各表示領域の指定順序を記憶する指定順序記憶手段と、
前記指定手段により指定された各表示領域の画像を、前記指定順序記憶手段に記憶された当該各表示領域の指定順序に従って前記表示部に順次拡大表示する表示制御手段と、
を備えたことを特徴としている。
【００３４】
請求項９記載の発明によれば、画像入力装置とコンピュータとからなる画像処理システムの該コンピュータにおいて、画像表示手段は、表示部を複数の表示領域に区分するとともに、前記画像入力装置から入力された画像データ、或いは当該コンピュータの記憶手段に記憶されている画像データを該表示部に表示し、指定手段は、前記複数の表示領域の中からいずれか１つ以上の表示領域を指定し、指定順序記憶手段は、前記指定手段により指定された各表示領域の指定順序を記憶し、表示制御手段は、前記指定手段により指定された各表示領域の画像を、前記指定順序記憶手段に記憶された当該各表示領域の指定順序に従って前記表示部に順次拡大表示する。
【００３５】
また、請求項１１記載の画像処理方法は、
画像入力装置とコンピュータとからなる画像処理システムにおける画像処理方法であって、
前記コンピュータの表示部を複数の表示領域に区分するとともに、前記画像入力装置から該コンピュータに入力された画像データ、或いは該コンピュータの記憶手段に記憶されている画像データを前記表示部に表示し、
前記複数の表示領域の中からいずれか１つ以上の表示領域が指定されると当該指定された各表示領域の指定順序を記憶して、
前記指定された各表示領域の画像を、前記記憶した当該各表示領域の指定順序に従って前記表示部に順次拡大表示することを特徴としている。
【００３６】
請求項１１記載の発明によれば、画像入力装置とコンピュータとからなる画像処理システムにおいて、前記コンピュータの表示部を複数の表示領域に区分するとともに、前記画像入力装置から該コンピュータに入力された画像データ、或いは該コンピュータの記憶手段に記憶されている画像データを前記表示部に表示し、前記複数の表示領域の中からいずれか１つ以上の表示領域が指定されると当該指定された各表示領域の指定順序を記憶して、前記指定された各表示領域の画像を、前記記憶した当該各表示領域の指定順序に従って前記表示部に順次拡大表示する。
【００３７】
したがって、請求項９及び請求項１１記載の発明によれば、画像入力装置とコンピュータとからなる画像処理システムの該コンピュータ側において、上述した請求項３の効果と同様の効果を奏し、画像処理システムにおける部分拡大表示機能の使い勝手を向上することができる。
【００３８】
請求項１０記載の画像処理システムは、
画像入力装置とコンピュータとからなる画像処理システムにおいて、
前記コンピュータは、
表示部と、
この表示部を複数の表示領域に区分するとともに、前記画像入力装置から入力された画像データ、或いは当該コンピュータの記憶手段に記憶されている画像データを該表示部に表示する画像表示手段と、
前記複数の表示領域の中から隣接するいずれか２つ以上の表示領域を指定する指定手段と、
この指定手段により指定された各表示領域の指定順序を記憶する指定順序記憶手段と、
前記指定手段により指定された隣接する２つ以上の表示領域内の画像に文字列が含まれている場合、この文字列の行数、または列数を識別する行列数識別手段と、
前記指定手段により指定された各表示領域の画像を、前記指定順序記憶手段に記憶された当該各表示領域の指定順序に従って前記表示部に順次拡大表示するとともに、この各表示領域の画像の順次拡大表示を前記行列数識別手段により識別された文字列の行数、または列数分だけ繰り返して行なう表示制御手段と、
を備えたことを特徴としている。
【００３９】
請求項１０記載の発明によれば、画像入力装置とコンピュータとからなる画像処理システムの該コンピュータにおいて、画像表示手段は、表示部を複数の表示領域に区分するとともに、前記画像入力装置から入力された画像データ、或いは当該コンピュータの記憶手段に記憶されている画像データを該表示部に表示し、指定手段は、前記複数の表示領域の中から隣接するいずれか２つ以上の表示領域を指定し、指定順序記憶手段は、前記指定手段により指定された各表示領域の指定順序を記憶し、行列数識別手段は、前記指定手段により指定された隣接する２つ以上の表示領域内の画像に文字列が含まれている場合、この文字列の行数、または列数を識別し、表示制御手段は、前記指定手段により指定された各表示領域の画像を、前記指定順序記憶手段に記憶された当該各表示領域の指定順序に従って前記表示部に順次拡大表示するとともに、この各表示領域の画像の順次拡大表示を前記行列数識別手段により識別された文字列の行数、または列数分だけ繰り返して行なう。
【００４０】
また、請求項１２記載の画像処理方法は、
画像入力装置とコンピュータとからなる画像処理システムにおける画像処理方法であって、
前記コンピュータの表示部を複数の表示領域に区分するとともに、前記画像入力装置から該コンピュータに入力された画像データ、或いは該コンピュータの記憶手段に記憶されている画像データを前記表示部に表示し、
前記複数の表示領域の中から隣接するいずれか２つ以上の表示領域が指定されると当該指定された各表示領域の指定順序を記憶するとともに、この指定された隣接する２つ以上の表示領域内の画像に文字列が含まれている場合、この文字列の行数、または列数を識別し、
前記指定された各表示領域の画像を、前記記憶した当該各表示領域の指定順序に従って前記表示部に順次拡大表示するとともに、この各表示領域の画像の順次拡大表示を前記識別した文字列の行数、または列数分だけ繰り返して行なうことを特徴としている。
【００４１】
請求項１２記載の発明によれば、画像入力装置とコンピュータとからなる画像処理システムにおいて、前記コンピュータの表示部を複数の表示領域に区分するとともに、前記画像入力装置から該コンピュータに入力された画像データ、或いは該コンピュータの記憶手段に記憶されている画像データを前記表示部に表示し、前記複数の表示領域の中から隣接するいずれか２つ以上の表示領域が指定されると当該指定された各表示領域の指定順序を記憶するとともに、この指定された隣接する２つ以上の表示領域内の画像に文字列が含まれている場合、この文字列の行数、または列数を識別し、前記指定された各表示領域の画像を、前記記憶した当該各表示領域の指定順序に従って前記表示部に順次拡大表示するとともに、この各表示領域の画像の順次拡大表示を前記識別した文字列の行数、または列数分だけ繰り返して行なう。
【００４２】
したがって、請求項１０及び請求項１２記載の発明によれば、画像入力装置とコンピュータとからなる画像処理システムの該コンピュータ側において、上述した請求項６の効果と同様の効果を奏し、画像処理システムにおける部分拡大表示機能の使い勝手を向上することができる。
【００４３】
請求項１３記載の記憶媒体は、
コンピュータが読み取り可能なプログラムを格納した記憶媒体であって、
画像入力装置と該コンピュータとからなる画像処理システムにおける画像処理機能を実現するための該コンピュータが実行可能なプログラムを格納し、
前記コンピュータの表示部を複数の表示領域に区分するとともに、前記画像入力装置から該コンピュータに入力された画像データ、或いは該コンピュータの記憶手段に記憶されている画像データを前記表示部に表示させる画像表示ステップと、
指定手段により前記複数の表示領域の中からいずれか１つ以上の表示領域を指定させる指定ステップと、
この指定ステップにおいて指定された各表示領域の指定順序を記憶手段に記憶させる指定順序記憶ステップと、
前記指定ステップにおいて指定された各表示領域の画像を、前記指定順序記憶ステップにより前記記憶手段に記憶された当該各表示領域の指定順序に従って前記表示部に順次拡大表示させる表示制御ステップと、
を備えたことを特徴としている。
【００４４】
請求項１３記載の発明によれば、コンピュータが読み取り可能なプログラムを格納した記憶媒体であって、画像入力装置と該コンピュータとからなる画像処理システムにおける画像処理機能を実現するための該コンピュータが実行可能なプログラムを格納し、画像表示ステップは、前記コンピュータの表示部を複数の表示領域に区分するとともに、前記画像入力装置から該コンピュータに入力された画像データ、或いは該コンピュータの記憶手段に記憶されている画像データを前記表示部に表示させ、指定ステップは、指定手段により前記複数の表示領域の中からいずれか１つ以上の表示領域を指定させ、指定順序記憶ステップは、前記指定ステップにおいて指定された各表示領域の指定順序を記憶手段に記憶させ、表示制御ステップは、前記指定ステップにおいて指定された各表示領域の画像を、前記指定順序記憶ステップにより前記記憶手段に記憶された当該各表示領域の指定順序に従って前記表示部に順次拡大表示させる。
【００４５】
また、請求項１４記載の記憶媒体は、
コンピュータが読み取り可能なプログラムを格納した記憶媒体であって、
画像入力装置と該コンピュータとからなる画像処理システムにおける画像処理機能を実現するための該コンピュータが実行可能なプログラムを格納し、
前記コンピュータの表示部を複数の表示領域に区分するとともに、前記画像入力装置から該コンピュータに入力された画像データ、或いは該コンピュータの記憶手段に記憶されている画像データを前記表示部に表示させる画像表示ステップと、
指定手段により前記複数の表示領域の中から隣接するいずれか２つ以上の表示領域を指定させる指定ステップと、
この指定ステップにおいて指定された各表示領域の指定順序を記憶手段に記憶させる指定順序記憶ステップと、
前記指定ステップにおいて指定された隣接する２つ以上の表示領域内の画像に文字列が含まれている場合、この文字列の行数、または列数を識別させる行列数識別ステップと、
前記指定ステップにおいて指定された各表示領域の画像を、前記指定順序記憶ステップにより前記記憶手段に記憶された当該各表示領域の指定順序に従って前記表示部に順次拡大表示させるとともに、この各表示領域の画像の順次拡大表示を前記行列数識別ステップにおいて識別された文字列の行数、または列数分だけ繰り返して行なわせる表示制御ステップと、
を備えたことを特徴としている。
【００４６】
請求項１４記載の発明によれば、コンピュータが読み取り可能なプログラムを格納した記憶媒体であって、画像入力装置と該コンピュータとからなる画像処理システムにおける画像処理機能を実現するための該コンピュータが実行可能なプログラムを格納し、画像表示ステップは、前記コンピュータの表示部を複数の表示領域に区分するとともに、前記画像入力装置から該コンピュータに入力された画像データ、或いは該コンピュータの記憶手段に記憶されている画像データを前記表示部に表示させ、指定ステップは、指定手段により前記複数の表示領域の中から隣接するいずれか２つ以上の表示領域を指定させ、指定順序記憶ステップは、前記指定ステップにおいて指定された各表示領域の指定順序を記憶手段に記憶させ、行列数識別ステップは、前記指定ステップにおいて指定された隣接する２つ以上の表示領域内の画像に文字列が含まれている場合、この文字列の行数、または列数を識別させ、表示制御ステップは、前記指定ステップにおいて指定された各表示領域の画像を、前記指定順序記憶ステップにより前記記憶手段に記憶された当該各表示領域の指定順序に従って前記表示部に順次拡大表示させるとともに、この各表示領域の画像の順次拡大表示を前記行列数識別ステップにおいて識別された文字列の行数、または列数分だけ繰り返して行なわせる。
【００４７】
したがって、請求項１３及び請求項１４記載の発明によれば、画像入力装置とコンピュータとからなる画像処理システムにおいて、前記コンピュータによって記憶媒体に格納されているプログラムを読み出して実行することで、該コンピュータにおいて上述した請求項３及び請求項６の効果と同様の効果を奏し、画像処理システムにおける部分拡大表示機能の使い勝手を向上することができる。
【００４８】
【発明の実施の形態】
以下、図１〜図１７を参照して本発明に好適な実施の形態を詳細に説明する。
（第１の実施の形態）
まず、構成を説明する。
【００４９】
図１は、本発明を適用したデジタルカメラの実施の形態の第１例における外観図を示す図である。
同図においてデジタルカメラ１は、カメラ部５と本体部６とから構成されており、このカメラ部５と本体部６とは相対的に回転自在に結合されている。
カメラ部５には、図中背面側に撮像レンズ１１（１点鎖線）が設けられており、このカメラ部５を本体部６を軸にして図中前方、或いは後方に回転させることで、撮像レンズ１１の位置を、例えば、図中前面側の位置（２点鎖線部分）に移動させるなど、様々な位置に設定することができる。
【００５０】
一方、本体部６には、図中前面側に液晶ディスプレイ（ＬＣＤ：Liquid Crystal Display）などにより構成される表示部１２が設けられている。この表示部１２には、撮影時に撮像レンズ１１を介して取り込んだ被写体の画像を表示することが、また、撮影後に撮像した画像を再生表示することができる。また、この表示部１２の右側には、上下へのスライド操作により撮影モード、設定モード、再生モード、及び通信モードなどの切換えを指示するモード切換スイッチ１３が設けられている。
【００５１】
また、本体部６には、図中上面側に、左右へのスライド操作により電源のＯＮ／ＯＦＦ切換えを指示する電源スイッチ１４、シャッターを所定時間開き、画像の撮像を指示するシャッターキー１５、後述する部分拡大表示処理１（図３参照）において、標準拡大表示を行なうことなどを指示するセレクトキー１６ａ、キャンセル指示などを行なうデリートキー１６ｂ、後述する部分拡大表示処理１において拡大表示する表示領域を指定する「＋」キー１７及び「−」キー１８、撮像した画像の一部を表示部１２に拡大表示することを指示させるズームキー１９、が設けられている。
【００５２】
また、本体部６には、図中上面側から背面側にかけて開閉蓋２０が設けられており、この開閉蓋２０の内部には図示を省略するが、電源供給用の外部電源端子２０ａと、表示部１２への表示データと同様の表示データを出力するためのビデオ出力端子２０ｂと、画像データ（圧縮データ）、制御信号などを入出力するためのシリアル入出力端子２０ｃと、が設けられている。
【００５３】
次に、上記図１のデジタルカメラ１の内部回路構成を示すブロック図を図２に示す。
同図においてデジタルカメラ１は、上記図１に示した表示部１２と、ＣＣＤ２５、バッファ２６、Ａ／Ｄ変換器２７、駆動回路２８、タイミングジェネレータ２９、シグナルジェネレータ３０、ＶＲＡＭ３１、ＤＲＡＭ３２、圧縮／伸長回路３３、フラッシュメモリ３４、ＲＯＭ３５、ＲＡＭ３６、キー入力部３７、ＣＰＵ３８、Ｄ／Ａ変換器３９、バッファ４０、Ｉ／Ｏポート４１、バッファ４２、及びスピーカー４３と、により構成されている。
【００５４】
ＣＣＤ（Charge Coupled Device ）２５は、フォトダイオードなどの受光部に転送電極を重ねた素子（画素）を平面状に多数配設した画素面と、各画素に蓄積された電荷を電圧に変換して出力する出力部とから構成される。撮像レンズ１１を介して入射した光は前記画素面で受光され、各画素には受光量に比例した電荷が蓄積される。各画素の蓄積電荷は、駆動回路２８から供給される駆動信号に応じて前記出力部により電気信号として１画素分ずつ順次読み出され、撮像信号（アナログ信号）としてバッファ２６を介してＡ／Ｄ変換器２７に出力される。
【００５５】
Ａ／Ｄ（Analog to Digital）変換器２７は、ＣＣＤ２５からバッファ２６を介して入力される撮像信号をアナログ信号からデジタル信号に変換し、これをタイミングジェネレータ２９に供給する。
【００５６】
駆動回路２８は、タイミングジェネレータ２９から供給されるタイミング信号に基づいてＣＣＤ２５の露光及び読み出しタイミングを駆動制御する。また、タイミングジェネレータ２９は、ＣＰＵ３８から入力される映像取り込み信号に基づいて駆動回路２８を制御するタイミング信号を生成する。
【００５７】
シグナルジェネレータ３０は、タイミングジェネレータ２９を介して供給される撮像信号に対して色演算処理を行ない、輝度信号（Ｙデータ）と色信号（Ｃデータ）により構成される画像データを生成し、生成した画像データ（Ｙデータ及びＣデータ）をＤＲＡＭ３２に格納する。
【００５８】
ＶＲＡＭ（Video Random Access Memory）３１は、ＣＰＵ３８によりＤＲＡＭ３２からシグナルジェネレータ３０を介して供給される、表示部１２、或いはビデオ出力端子２０ｂに出力される表示データ（画像データ）を格納するビデオメモリである。
【００５９】
ＤＲＡＭ（Dynamic Random Access Memory ）３２は、シグナルジェネレータ３０から供給される撮像した画像データ、或いはＣＰＵ３８によりフラッシュメモリ３４から読み出され、後述する圧縮／伸長回路３３により伸長処理された画像データを一時的に格納する半導体メモリである。
【００６０】
圧縮／伸長回路３３は、ＤＲＡＭ３２に格納された画像データを符号化により圧縮処理する。具体的には、画像データを所定の符号化方式、すなわち、取り扱う画像の種類（この場合、静止画）に応じた、例えば、ＪＰＥＧ（Joint Photographic Experts Group）アルゴリズムによる８×８画素毎のＤＣＴ（Discrete Cosine Transform：離散コサイン変換）、量子化、ハフマン符号化により圧縮処理（符号化処理）し、この圧縮処理した画像データをフラッシュメモリ３４に出力する。また、フラッシュメモリ３４に格納されている圧縮処理された画像データを復号化して伸長処理し、ＤＲＡＭ３２に格納する。
【００６１】
フラッシュメモリ３４は、圧縮／伸長回路３３により圧縮処理された画像データを複数格納する半導体メモリである。
ＲＯＭ（Read Only Memory）３５は、後述する部分拡大表示処理１（図３参照）などの、ＣＰＵ３８により実行されるデジタルカメラ１の各部を制御するための各種制御プログラムを格納する。この各種制御プログラムは、ＣＰＵ３８が読み取り可能なプログラムコードの形態で記憶されている。
【００６２】
ＲＡＭ（Random Access Memory）３６は、ＣＰＵ３８により各種制御処理が実行される際に、処理される各種データを一時的に格納するワークエリアを形成する。
キー入力部３７は、前述したモード切換スイッチ１３、電源スイッチ１４、シャッターキー１５、セレクトキー１６ａ、デリートキー１６ｂ、「＋」キー１７、「−」キー１８、及びズームキー１９により構成され、各キーの入力操作に応じた各種操作信号をＣＰＵ３８に出力する。
【００６３】
ＣＰＵ（Central Processing Unit ）３８は、ＲＯＭ３５に格納される各種制御プログラムに従ってデジタルカメラ１の各部を制御する中央演算処理装置である。具体的には、ＣＰＵ３８は、モード切換スイッチ１３がスライド操作されて再生モードが指定され、表示指定された画像データが表示画面１２ａに再生表示された後、ズームキー１９が押圧操作されると後述する部分拡大表示処理１（図３参照）を実行する。
【００６４】
この部分拡大表示処理１においてＣＰＵ３８は、キー入力部３７から横方向を基準として各表示領域の指定順序（各表示領域を指定するための「＋」キー１７、或いは「−」キー１８の押圧操作回数）を設定する旨が指示された場合は、図４（ａ）に示すように、「＋」キー１７、或いは「−」キー１８の押圧操作回数により指定される表示領域が、その押圧操作回数の増減にともない横方向に移動していくように各表示領域の指定順序を設定する。また、ＣＰＵ３８は、キー入力部３７から縦方向を基準として各表示領域の指定順序を設定する旨が指示された場合は、図４（ｂ）に示すように、「＋」キー１７、或いは「−」キー１８の押圧操作回数により指定される表示領域が、その押圧操作回数の増減にともない縦方向に移動していくように各表示領域の指定順序を設定する。
【００６５】
Ｄ／Ａ（Digital to Analog）変換器３９は、ＶＲＡＭ３１からシグナルジェネレータ３０を介して供給される画像データ（表示データ）をデジタル信号からアナログ信号に変換し、これをバッファ４０を介して表示部１２に、或いはビデオ出力端子２０ｂにケーブルを介して外部機器が接続されている場合は、その外部機器に出力する。
【００６６】
表示部１２は、Ｄ／Ａ変換器３９及びバッファ４０を介して入力される画像データ（表示データ）に基づいて表示画面１２ａに画像を表示する。また、この表示画面１２ａは、後述する部分拡大表示処理１（図３参照）において９個の表示領域に区分される。
【００６７】
Ｉ／Ｏ（Input / Output）ポート４１は、当該デジタルカメラ１とシリアル入出力端子２０ｃ及びケーブルを介して接続された外部機器との間で授受されるシリアルデータ（画像データ、制御信号など）を制御するインターフェースである。シリアル入出力端子２０ｃには、例えば、ＲＳ２３２Ｃ（シリアル形式）などのケーブルが接続可能である。
【００６８】
スピーカー４３は、ＣＰＵ３８からバッファ４２を介して入力される駆動信号に基づいて所定の報知音を放音し、バッテリー切れなどをユーザー（撮影者）に報知する。
以上が本実施の形態におけるデジタルカメラ１の構成である。
【００６９】
次に、動作を説明する。
デジタルカメラ１のＣＰＵ３８において実行される部分拡大表示処理１について、図３に示すフローチャートと、図４に示す「＋」キー１７、或いは「−」キー１８の押圧操作回数とそれにより指定される各表示領域との関係を示す図とに基づいて説明する。
【００７０】
まず、ＣＰＵ３８は、標準拡大表示を行なうか否かを問うメッセージを表示画面１２ａに表示した後（ステップＳ１）、標準拡大表示を行なうか否かを判別する（ステップＳ２）。
【００７１】
そして、ＣＰＵ３８は、セレクトキー１６ａが押圧操作され、標準拡大表示を行なう旨が指示された場合は、表示画面１２ａを９つの表示領域に区分した後、従来の場合と同様に、各表示領域の指定順序（各表示領域を指定するための「＋」キー１７、或いは「−」キー１８の押圧操作回数）を図４（ｃ）に示すように設定する（ステップＳ３）。
【００７２】
その後、ＣＰＵ３８は、中段中央の表示領域（網掛部分）の画像を予め定められた所定倍率で表示画面１２ａに拡大表示した後（ステップＳ４）、以後、「＋」キー１７、或いは「−」キー１８の押圧操作回数に応じて指定された表示領域（図４（ｃ）参照）の画像を同様に表示画面１２ａに拡大表示して（ステップＳ５）、ステップＳ１４に移行する。
【００７３】
また、ＣＰＵ３８は上記ステップＳ２において、デリートキー１６ｂが押圧操作され、標準拡大表示を行なわない旨が指示された場合は、次いで、横方向を基準として各表示領域の指定順序を設定するか否かを問うメッセージを表示画面１２ａに表示した後（ステップＳ６）、横方向を基準として前記指定順序を設定するか否かを判別する（ステップＳ７）。
【００７４】
そして、ＣＰＵ３８は、セレクトキー１６ａが押圧操作され、横方向を基準として前記指定順序を設定する旨が指定された場合は、表示画面１２ａを９つの表示領域に区分した後、各表示領域の指定順序（各表示領域を指定するための「＋」キー１７、或いは「−」キー１８の押圧操作回数）を図４（ａ）に示すように横方向を基準として設定する（ステップＳ８）。
【００７５】
その後、ＣＰＵ３８は、上段左端の表示領域（網掛部分）の画像を予め定められた所定倍率で表示画面１２ａに拡大表示した後（ステップＳ９）、以後、「＋」キー１７、或いは「−」キー１８の押圧操作回数に応じて指定された表示領域（図４（ａ）参照）の画像を同様に表示画面１２ａに拡大表示して（ステップＳ１０）、ステップＳ１４に移行する。
【００７６】
一方、ＣＰＵ３８は上記ステップＳ７において、デリートキー１６ｂが押圧操作され、横方向を基準として前記指定順序を設定しない旨が指定された場合は、縦方向を基準として前記指定順序を設定するものと判断し、表示画面１２ａを９つの表示領域に区分した後、各表示領域の指定順序（各表示領域を指定するための「＋」キー１７、或いは「−」キー１８の押圧操作回数）を図４（ｂ）に示すように縦方向を基準として設定する（ステップＳ１１）。
【００７７】
その後、ＣＰＵ３８は、上段右端の表示領域（網掛部分）の画像を予め定められた所定倍率で表示画面１２ａに拡大表示した後（ステップＳ１２）、以後、「＋」キー１７、或いは「−」キー１８の押圧操作回数に応じて指定された表示領域（図４（ｂ）参照）の画像を同様に表示画面１２ａに拡大表示して（ステップＳ１３）、ステップＳ１４に移行する。
【００７８】
ステップＳ１４においてＣＰＵ３８は、部分拡大表示処理１を終了するか否かを問うメッセージを表示画面１２ａに表示した後（ステップＳ１４）、当該処理を終了するか否かを判別し（ステップＳ１５）、デリートキー１６ｂが押圧操作され、当該処理を終了しない旨が指示された場合は、上記ステップＳ１に戻る。また、ＣＰＵ３８は、セレクトキー１６ａが押圧操作され、当該処理を終了する旨が指示された場合は、部分拡大表示処理１を終了する。
以上がデジタルカメラ１のＣＰＵ３８において実行される部分拡大表示処理１の動作手順である。
【００７９】
なお、ＣＰＵ３８において実行される部分拡大表示処理は、図５のフローチャートに示すような処理形態（部分拡大表示処理２）のものであってもよい。
以下にこの部分拡大表示処理２について説明する。
【００８０】
まず、ＣＰＵ３８は、表示画面１２ａに再生表示された画像に文字列が含まれているか否かを判別する（ステップＳ２１）。この際、ＣＰＵ３８は、前記画像について画像認識処理（Image Recognition Processing）を行ない、この画像の色や濃淡、距離などからパターン認識により文字列の存在有無を判別する。そして、ＣＰＵ３８は、前記画像に文字列が存在しないと判別した場合は、ステップＳ２２〜Ｓ２４において、上記部分拡大表示処理１（図３参照）のステップＳ３〜Ｓ５に記した処理と同様の処理を行なって、ステップＳ３２に移行する。
【００８１】
一方、ＣＰＵ３８は上記ステップＳ２１において、前記画像に文字列が存在すると判別した場合は、その文字列が横書きであるか否かを判別し（ステップＳ２５）、横書きである場合はステップＳ２６〜Ｓ２８において、上記部分拡大表示処理１（図３参照）のステップＳ８〜Ｓ１０に記した処理と同様の処理を行なって、ステップＳ３２に移行する。
【００８２】
また、ＣＰＵ３８は上記ステップＳ２５において、文字列が横書きでないと判別した場合は縦書きであると判断し、ステップＳ２９〜Ｓ３１において、上記部分拡大表示処理１（図３参照）のステップＳ１１〜Ｓ１３に記した処理と同様の処理を行なって、ステップＳ３２に移行する。
【００８３】
そして、ＣＰＵ３８はステップＳ３２，Ｓ３３において、上記部分拡大表示処理１（図３参照）のステップＳ１４，Ｓ１５に記した処理と同様の処理を行なった後、当該部分拡大表示処理２を終了する。
以上がデジタルカメラ１のＣＰＵ３８において実行される部分拡大表示処理２の動作手順である。
【００８４】
以上のようなことから本実施の形態におけるデジタルカメラ１によれば、ＣＰＵ３８（指定順序設定手段、再生表示手段、及び表示制御手段）は、「＋」キー１７、或いは「−」キー１８（指定手段）の押圧操作により拡大表示させる画像の表示領域を指定する際に、方向メッセージ表示に応じてセレクトキー１６ａ、或いはデリートキー１６ｂ（方向指示手段）の押圧操作により指示された横、或いは縦方向に基づいて複数の表示領域の指定順序（各表示領域を指定するための「＋」キー１７、或いは「−」キー１８の押圧操作回数）を設定し、この指定順序の設定された複数の表示領域の中から前記「＋」キー１７、或いは「−」キー１８の押圧操作回数に応じて指定された表示領域の画像を、表示部１２（表示部）の表示画面１２ａに所定倍率で拡大表示する。
【００８５】
したがって、ユーザーにより指示された方向に基づいて各表示領域の指定順序（各表示領域を指定するための「＋」キー１７、或いは「−」キー１８の押圧操作回数）が設定されるので、例えば、縦方向や横方向に連続して連なる複数の表示領域（図１９参照）に拡大表示させたい画像が存在する場合、この画像の存在する前記複数の表示領域を連続して指定することが、また、この複数の表示領域の各画像を連続して表示画面１２ａに拡大表示させることが可能となり、表示領域の指定に係わる操作性及び拡大表示させた画像の視認性を高めることができる。
【００８６】
また、本実施の形態におけるデジタルカメラ１によれば、ＣＰＵ３８（指定順序設定手段、再生表示手段、表記方向識別手段、及び表示制御手段）は、表示部１２（表示部）の表示画面１２ａに再生表示された画像に文字列が含まれている場合、「＋」キー１７、或いは「−」キー１８（指定手段）の押圧操作により拡大表示させる画像の表示領域を指定する際に、前記文字列の表記方向に基づいて複数の表示領域の指定順序（各表示領域を指定するための「＋」キー１７、或いは「−」キー１８の押圧操作回数）を設定し、この指定順序の設定された複数の表示領域の中から前記「＋」キー１７、或いは「−」キー１８の押圧操作回数に応じて指定された表示領域の画像を、表示画面１２ａに所定倍率で拡大表示する。
【００８７】
したがって、再生表示された画像に文字列が含まれている場合、この文字列の表記方向に基づいて各表示領域の指定順序（各表示領域を指定するための「＋」キー１７、或いは「−」キー１８の押圧操作回数）が設定されるので、縦書きや横書きの文字列が含まれた画像（例えば、名刺、看板など）について部分拡大表示を行なう際に、文字列の表記方向に応じて複数の表示領域を連続して指定することが、また、この複数の表示領域の各画像を連続して表示画面１２ａに拡大表示させることが可能となり、表示領域の指定に係わる操作性を高めることができるとともに、順次拡大表示される画像に含まれる文字列の判読が行ない易くなる。
【００８８】
また、本実施の形態におけるデジタルカメラ１によれば、ＣＰＵ３８（再生表示手段）は、表示部１２（表示部）を複数の表示領域に区分するとともに、ＣＣＤ２５、バッファ２６、Ａ／Ｄ変換器２７、駆動回路２８、タイミングジェネレータ２９、及びシグナルジェネレータ３０からなる撮像部（撮像手段）により撮像された画像データ、或いはフラッシュメモリ３４（記憶手段）に記憶されている画像データを該表示部１２に再生表示する。
【００８９】
したがって、撮像した画像に対して上述したような部分拡大表示を行なうことができる。
【００９０】
なお、本実施の形態の部分拡大表示処理１（図３参照）においては、ユーザーからのキー入力に基づいて、横方向、或いは縦方向を基準として各表示領域の指定順序（各表示領域を指定するための「＋」キー１７、或いは「−」キー１８の押圧操作回数）を設定する構成としたが、このユーザーからの方向指示は上記横方向及び縦方向に限定されるものではなく、例えば、さらに詳細に、「→（左から右への横方向）」、「←（右から左への横方向）」、「↑（下から上への縦方向）」、「↓（上から下への縦方向）」などの方向指示であってもよいことは勿論である。
以上が実施の形態の第１例についての説明である。
【００９１】
（第２の実施の形態）
次に、実施の形態の第２例について図６〜図１０を参照して説明する。
まず、構成を説明する。
図６は、実施の形態の第２例におけるデジタルカメラ２の内部回路構成を示すブロック図である。
【００９２】
なお、この図６において、上記実施の形態の第１例におけるデジタルカメラ１のブロック構成（図２参照）と同一の構成要素には同一番号を付し、説明を省略するものとする。
【００９３】
同図においてデジタルカメラ２は、前記図２に示した表示部１２、ＣＣＤ２５、バッファ２６、Ａ／Ｄ変換器２７、駆動回路２８、タイミングジェネレータ２９、シグナルジェネレータ３０、ＶＲＡＭ３１、ＤＲＡＭ３２、圧縮／伸長回路３３、フラッシュメモリ３４、キー入力部３７、Ｄ／Ａ変換器３９、バッファ４０、Ｉ／Ｏポート４１、バッファ４２、及びスピーカー４３と、ＲＯＭ５０、ＲＡＭ５１、及びＣＰＵ５２とにより構成されている。
【００９４】
ＲＯＭ５０は、後述する部分拡大表示処理３（図８及び図９参照）などの、ＣＰＵ５２により実行されるデジタルカメラ２の各部を制御するための各種制御プログラムを格納する。この各種制御プログラムは、ＣＰＵ５２が読み取り可能なプログラムコードの形態で記憶されている。また、このＲＯＭ５０には、ＲＡＭ５１に展開されるデータテーブル５１ａが格納されている。
【００９５】
ＲＡＭ５１は、ＣＰＵ５２により各種制御処理が実行される際に、処理される各種データを一時的に格納するワークエリアを形成する。また、このＲＡＭ５１には、ＣＰＵ５２によりＲＯＭ５０から読み出されたデータテーブル５１ａ（図７（ａ）参照）が展開される。
【００９６】
図７（ａ）は、ＲＡＭ５１に展開されるデータテーブル５１ａの一例を示す図である。
同図に示すデータテーブル５１ａにおいて、「表示領域１」〜「表示領域９」の各項目は、図７（ｂ）に示す表示画面１２ａの各表示領域１〜９に対応して設けられている。この各項目の「データ」欄には、後述する部分拡大表示処理３（図８及び図９参照）において、表示画面１２ａ上の各表示領域１〜９の中からいずれか１つ以上の表示領域が指定された場合に、対応する「表示領域」項目の「データ」欄に、その指定順序に従って“１”から順次インクリメント（＋１）された数値データが格納される。なお、指定されなかった「表示領域」項目の「データ」欄には“０”が格納されている。
【００９７】
「表示時間」項目の「データ」欄には、標準設定値とユーザー設定値の２種類の表示時間データが格納される。標準設定値は、予め設定された表示時間データであり、また、ユーザー設定値は、後述する部分拡大表示処理３においてユーザーにより任意の値に設定される表示時間データである。
「繰り返し表示回数」項目の「データ」欄には、後述する部分拡大表示処理３においてユーザーにより任意の値に設定される繰り返し表示回数データの値が格納される。
【００９８】
「表示時間設定フラグＴ」項目の「データ」欄には、機能設定処理（図示省略）において各種機能のＯＮ／ＯＦＦ設定を行なう際に、表示時間設定機能をＯＮ設定した場合に“１”が、そうでない場合（ＯＦＦ設定）に“０”が格納される。同様に、「繰り返し表示フラグＫ」項目の「データ」欄には、繰り返し表示機能をＯＮ設定した場合に“１”が、そうでない場合に“０”が格納される。
【００９９】
また、後述する部分拡大表示処理３において、表示部１２の表示画面１２ａは、図７（ｂ）に示すように表示領域１〜表示領域９として９個の表示領域に区分される。
【０１００】
ＣＰＵ５２は、ＲＯＭ５０に格納される各種制御プログラムに従ってデジタルカメラ２の各部を制御する中央演算処理装置である。具体的には、ＣＰＵ５２は、モード切換スイッチ１３がスライド操作されて再生モードが指定され、表示指定された画像データが表示画面１２ａに再生表示された後、ズームキー１９が押圧操作されると後述する部分拡大表示処理３（図８及び図９参照）を実行する。
【０１０１】
この部分拡大表示処理３においてＣＰＵ５２は、任意拡大表示として、ユーザーにより指定された１つ以上の表示領域の画像をその指定順序に従って、所定表示時間（標準設定値データ、或いはユーザー設定値データに基づく表示時間）毎に表示画面１２ａに順次拡大表示するとともに、繰り返し表示機能がＯＮ設定されている場合は、前記各画像の順次拡大表示を設定された繰り返し表示回数分だけ繰り返して行なう。
【０１０２】
また、ＣＰＵ５２は、モード切換スイッチ１３がスライド操作されて設定モードが指定されると機能設定処理（図示省略）を実行し、キー入力部３７からの入力指示に基づいて、表示時間設定機能や繰り返し表示機能などの各種機能のＯＮ／ＯＦＦ設定を行なう。
以上が本実施の形態におけるデジタルカメラ２の構成である。
【０１０３】
次に、動作を説明する。
デジタルカメラ２のＣＰＵ５２において実行される部分拡大表示処理３について、図８及び図９に示すフローチャートに基づいて説明する。
まず、ＣＰＵ５２は、任意拡大表示を行なうか否かを問うメッセージを表示画面１２ａに表示した後（ステップＳ４１）、任意拡大表示を行なうか否かを判別する（ステップＳ４２）。
【０１０４】
そして、ＣＰＵ５２は、デリートキー１６ｂが押圧操作され、任意拡大表示を行なわない旨が指示された場合は、通常拡大表示を行なうものと判断し、ステップＳ４３〜Ｓ４５において、前記実施の形態の第１例における部分拡大表示処理１（図３参照）のステップＳ３〜Ｓ５に記した処理と同様の処理を行なって、ステップＳ６６に移行する。
【０１０５】
また、ＣＰＵ５２は上記ステップＳ４２において、セレクトキー１６ａが押圧操作され、任意拡大表示を行なう旨が指示された場合は、次いで、表示画面１２ａに再生表示された画像に文字列が含まれているか否かを判別する（ステップＳ４６）。この際、ＣＰＵ５２は、前記画像について画像認識処理を行ない、この画像の色や濃淡、距離などからパターン認識により文字列の存在有無を判別する。そして、ＣＰＵ５２は、前記画像に文字列が存在しないと判別した場合は、表示画面１２ａを９つの表示領域１〜９に区分した後、従来の場合と同様に、各表示領域の指定順序を図４（ｃ）に示すように設定する（ステップＳ４７）。
【０１０６】
また、ＣＰＵ５２は上記ステップＳ４６において、前記画像に文字列が存在すると判別した場合は、次いで、その文字列が横書きであるか否かを判別し（ステップＳ４８）、横書きである場合は、表示画面１２ａを９つの表示領域１〜９に区分した後、各表示領域の指定順序を図４（ａ）に示すように横方向を基準として設定する（ステップＳ４９）。また、ＣＰＵ５２は、文字列が横書きでないと判別した場合は縦書きであると判断し、表示画面１２ａを９つの表示領域１〜９に区分した後、各表示領域の指定順序を図４（ｂ）に示すように縦方向を基準として設定する（ステップＳ５０）。
【０１０７】
次いで、ＣＰＵ５２は、「＋」キー１７、或いは「−」キー１８の押圧操作により表示画面１２ａ上の各表示領域１〜９の中から所望の表示領域が検索され、セレクトキー１６ａが押圧操作されていずれかの表示領域が指定されたか否かを判別し（ステップＳ５１）、表示領域が指定されていない場合は、引き続いていずれかの表示領域が指定されたか否かの監視を行なう。
【０１０８】
また、ＣＰＵ５２は、表示領域が指定されたと判別した場合は、ＲＡＭ５１に展開されたデータテーブル５１ａにおいて、前記指定された表示領域に対応する「表示領域」項目の「データ」欄に、指定された順序に従って“１”から順次インクリメント（＋１）された指定順序データ（数値データ）を格納する（ステップＳ５２）。
【０１０９】
その後、ＣＰＵ５２は、表示領域の指定処理を終了するか否かをキー入力部３７からの入力指示に基づいて判別し（ステップＳ５３）、表示領域の指定処理を終了しない、すなわち、表示領域の指定処理を継続する場合は、上記ステップＳ５１に戻る。
ＣＰＵ５２は、このステップＳ５１〜Ｓ５３までの処理において、表示画面１２ａ上の各表示領域１〜９の中からユーザーにより指定されたいずれか１つ以上の表示領域について、その指定順序データをＲＡＭ５１のデータテーブル５１ａに格納する。
【０１１０】
また、ＣＰＵ５２は、表示領域の指定処理を終了すると判別した場合は、次いで、ＲＡＭ５１に展開されたデータテーブル５１ａから表示時間設定フラグＴの値を読み出して、Ｔの値が“１”であるか否か、すなわち、表示時間設定機能がＯＮ設定されているか否かを判別する（ステップＳ５４）。そして、ＣＰＵ５２は、表示時間設定機能がＯＮ設定されていないと判別した場合（Ｔ＝０）は、ステップＳ５６に移行する。また、ＣＰＵ５２は、表示時間設定機能がＯＮ設定されていると判別した場合（Ｔ＝１）は、キー入力部３７を介して入力された表示時間データをユーザー設定値データとしてＲＡＭ５１のデータテーブル５１ａに格納した後（ステップＳ５５）、ステップＳ５６に移行する。
【０１１１】
次いで、ＣＰＵ５２は、データテーブル５１ａから繰り返し表示フラグＫの値を読み出して、Ｋの値が“１”であるか否か、すなわち、繰り返し表示機能がＯＮ設定されているか否かを判別する（ステップＳ５６）。そして、ＣＰＵ５２は、繰り返し表示機能がＯＮ設定されていないと判別した場合（Ｋ＝０）は、ステップＳ５８に移行する。また、ＣＰＵ５２は、繰り返し表示機能がＯＮ設定されていると判別した場合（Ｋ＝１）は、キー入力部３７を介して入力された繰り返し表示回数データをデータテーブル５１ａに格納した後（ステップＳ５７）、ステップＳ５８に移行する。
【０１１２】
次いで、ＣＰＵ５２は、変数ｎの値を“０”にセットし（ステップＳ５８）、ステップＳ５９〜Ｓ６１において、ＲＡＭ５１のデータテーブル５１ａに格納された表示時間設定フラグＴの値に応じて、標準設定値データ、或いはユーザー設定値データをデータテーブル５１ａから読み出して、表示時間データとして設定する。
【０１１３】
その後、ＣＰＵ５２は、データテーブル５１ａの各「表示領域」項目の「データ」欄に格納された指定順序データの値を参照し、その昇順（“０”を除く）に従って、ユーザーにより指定された１つ以上の表示領域の画像を前記設定された表示時間毎に表示画面１２ａに順次拡大表示する（ステップＳ６２）。
【０１１４】
次いで、ＣＰＵ５２は、変数ｎの値をインクリメント（＋１）した後（ステップＳ６３）、ＲＡＭ５１のデータテーブル５１ａから繰り返し表示フラグＫの値を読み出して、繰り返し表示機能がＯＮ設定されているか否かを判別する（ステップＳ６４）。そして、ＣＰＵ５２は、繰り返し表示機能がＯＮ設定されていないと判別した場合（Ｋ＝０）は、ステップＳ６６に移行する。
【０１１５】
また、ＣＰＵ５２は、繰り返し表示機能がＯＮ設定されていると判別した場合（Ｋ＝１）は、データテーブル５１ａから繰り返し表示回数データの値を読み出して、変数ｎの値が繰り返し表示回数データの値と一致するか否かを判別し（ステップＳ６５）、一致しない場合は上記ステップＳ６２に戻る。また、ＣＰＵ５２は、変数ｎの値が繰り返し表示回数データの値と一致すると判別した場合は、ステップＳ６６に移行する。
【０１１６】
このようにＣＰＵ５２では、繰り返し表示機能がＯＮ設定されている場合、ユーザーにより指定された各表示領域の画像の順次拡大表示を、上記ステップＳ５７において設定された繰り返し表示回数データの値分だけ繰り返して行なう。
【０１１７】
そして、ＣＰＵ５２はステップＳ６６，Ｓ６７において、前記実施の形態の第１例における部分拡大表示処理１（図３参照）のステップＳ１４，Ｓ１５に記した処理と同様の処理を行なった後、当該部分拡大表示処理３を終了する。
【０１１８】
図１０は、この部分拡大表示処理３の動作を説明する説明図であり、例えば、同図（ａ）に示すように表示画面１２ａにおいて、中段左端（表示領域９）、下段左端（表示領域３）、下段中央（表示領域４）の順に表示領域（図中斜線部）が指定され（ステップＳ５１）、表示時間データとして１．０［秒］、繰り返し表示回数データとして３［回］が設定された場合（ステップＳ５５，Ｓ５７）、ＣＰＵ５２は、前記指定された３つの表示領域の画像をその指定順序に従って、表示時間１．０［秒］毎に表示画面１２ａに順次拡大表示するとともに（ステップＳ６２）、この各表示領域の画像の順次拡大表示を３回繰り返して行なう（ステップＳ６２〜Ｓ６５）。
【０１１９】
なお、図１０（ｂ）に示すように各表示領域１〜９を、さらに例えば、１／４の大きさの表示領域に細分化して、この細分化された表示領域単位で部分拡大表示処理３を行なう構成としてもよい。
以上がデジタルカメラ２のＣＰＵ５２において実行される部分拡大表示処理３の動作手順である。
【０１２０】
以上のようなことから本実施の形態におけるデジタルカメラ２によれば、ＣＰＵ５２（表示制御手段）は、「＋」キー１７、「−」キー１８、セレクトキー１６ａ（指定手段）の押圧操作により指定された各表示領域の画像を、ＲＡＭ５１に展開されたデータテーブル５１ａ（指定順序記憶手段）に記憶した当該各表示領域の指定順序データに従って表示部１２（表示部）の表示画面１２ａに順次拡大表示する。
【０１２１】
したがって、拡大表示させたい表示領域の画像のみを、その表示領域の指定順序に従って表示画面１２ａに順次拡大表示させることが可能となる。
【０１２２】
また、本実施の形態におけるデジタルカメラ２によれば、ＣＰＵ５２（表示制御手段）は、「＋」キー１７、「−」キー１８、セレクトキー１６ａ（指定手段）の押圧操作により指定された各表示領域の画像を、ＲＡＭ５１に展開されたデータテーブル５１ａ（指定順序記憶手段）に記憶した当該各表示領域の指定順序データに従って、該データテーブル５１ａ（表示時間記憶手段）に記憶した表示時間データ（標準設定値データ、或いはユーザー設定値データ）に基づく表示時間毎に、表示部１２（表示部）の表示画面１２ａに順次拡大表示する。
【０１２３】
したがって、ユーザーにより指定された各表示領域の画像をその指定順序に従って順次拡大表示させる際に、各画像の拡大表示時間を任意の値に設定し、その表示速度を調整することが可能となる。
【０１２４】
また、本実施の形態におけるデジタルカメラ２によれば、ＣＰＵ５２（表示制御手段）は、「＋」キー１７、「−」キー１８、セレクトキー１６ａ（指定手段）の押圧操作により指定された各表示領域の画像を、ＲＡＭ５１に展開されたデータテーブル５１ａ（指定順序記憶手段）に記憶した当該各表示領域の指定順序データに従って表示部１２（表示部）の表示画面１２ａに順次拡大表示するとともに、この各表示領域の画像の順次拡大表示を該データテーブル５１ａ（表示回数記憶手段）に記憶した繰り返し表示回数データの値分だけ繰り返して行なう。
【０１２５】
したがって、ユーザーにより指定された各表示領域の画像をその指定順序に従って順次拡大表示させる際に、各画像の順次拡大表示を繰り返して行なうことが可能となり、拡大表示させる各画像をユーザーに確実に視認させることが可能となる。また、その繰り返し表示回数を任意の値に設定することが可能となる。
【０１２６】
また、本実施の形態におけるデジタルカメラ２によれば、ＣＰＵ５２（表示制御手段）は、キー入力部３７（設定手段）により機能設定処理（図示省略）において繰り返し表示機能が無効に設定された場合（ＯＦＦ設定）は、繰り返し表示を行なわない。
【０１２７】
したがって、繰り返し表示機能の有効、無効を設定することができるので、拡大表示させる画像の内容に応じて繰り返し表示機能のＯＮ／ＯＦＦ切換えを行なうことが可能となる。
以上が実施の形態の第２例についての説明である。
【０１２８】
（第３の実施の形態）
次に、実施の形態の第３例について図１１〜図１５を参照して説明する。
まず、構成を説明する。
図１１は、実施の形態の第３例におけるデジタルカメラ３の内部回路構成を示すブロック図である。
【０１２９】
なお、この図１１において、上記実施の形態の第１例におけるデジタルカメラ１のブロック構成（図２参照）と同一の構成要素には同一番号を付し、説明を省略するものとする。
【０１３０】
同図においてデジタルカメラ３は、前記図２に示した表示部１２、ＣＣＤ２５、バッファ２６、Ａ／Ｄ変換器２７、駆動回路２８、タイミングジェネレータ２９、シグナルジェネレータ３０、ＶＲＡＭ３１、ＤＲＡＭ３２、圧縮／伸長回路３３、フラッシュメモリ３４、キー入力部３７、Ｄ／Ａ変換器３９、バッファ４０、Ｉ／Ｏポート４１、バッファ４２、及びスピーカー４３と、ＲＯＭ６０、ＲＡＭ６１、及びＣＰＵ６２とにより構成されている。
【０１３１】
ＲＯＭ６０は、後述する部分拡大表示処理４（図１３及び図１４参照）などの、ＣＰＵ６２により実行されるデジタルカメラ３の各部を制御するための各種制御プログラムを格納する。この各種制御プログラムは、ＣＰＵ６２が読み取り可能なプログラムコードの形態で記憶されている。また、このＲＯＭ６０には、ＲＡＭ６１に展開されるデータテーブル６１ａが格納されている。
【０１３２】
ＲＡＭ６１は、ＣＰＵ６２により各種制御処理が実行される際に、処理される各種データを一時的に格納するワークエリアを形成する。また、このＲＡＭ６１には、ＣＰＵ６２によりＲＯＭ６０から読み出されたデータテーブル６１ａ（図１２（ａ）参照）が展開される。
【０１３３】
図１２（ａ）は、ＲＡＭ６１に展開されるデータテーブル６１ａの一例を示す図である。
同図に示すデータテーブル６１ａにおいて、「行数Ｘ」及び「列数Ｙ」項目の「データ」欄には、後述する部分拡大表示処理４（図１３及び図１４参照）において識別された行数Ｘ、或いは列数Ｙの数値データが格納される。
なお、その他の各項目については、前記実施の形態の第２例において示したデータテーブル５１ａ（図７（ａ）参照）の各項目と同様の構成であるので説明を省略する。
【０１３４】
また、後述する部分拡大表示処理４において、表示部１２の表示画面１２ａは、図１２（ｂ）に示すように表示領域１〜表示領域９として９個の表示領域に区分される。
【０１３５】
ＣＰＵ６２は、ＲＯＭ６０に格納される各種制御プログラムに従ってデジタルカメラ３の各部を制御する中央演算処理装置である。具体的には、ＣＰＵ６２は、モード切換スイッチ１３がスライド操作されて再生モードが指定され、表示指定された画像データが表示画面１２ａに再生表示された後、ズームキー１９が押圧操作されると後述する部分拡大表示処理４（図１３及び図１４参照）を実行する。
【０１３６】
この部分拡大表示処理４においてＣＰＵ６２は、ユーザーにより指定された隣接する２つ以上の表示領域内の画像に文字列が含まれている場合は、その文字列の行数Ｘ、或いは列数Ｙを識別し、前記各表示領域の画像をその指定順序に従って、所定表示時間（標準設定値データ、或いはユーザー設定値データに基づく表示時間）毎に表示画面１２ａに順次拡大表示するとともに、繰り返し表示機能がＯＮ設定されている場合は、前記各画像の順次拡大表示を識別した文字列の行数Ｘ、或いは列数Ｙの値分だけ繰り返して行なう。
【０１３７】
また、ＣＰＵ６２は、モード切換スイッチ１３がスライド操作されて設定モードが指定されると機能設定処理（図示省略）を実行し、キー入力部３７からの入力指示に基づいて、表示時間設定機能や繰り返し表示機能などの各種機能のＯＮ／ＯＦＦ設定を行なう。
以上が本実施の形態におけるデジタルカメラ３の構成である。
【０１３８】
次に、動作を説明する。
デジタルカメラ３のＣＰＵ６２において実行される部分拡大表示処理４について、図１３及び図１４に示すフローチャートに基づいて説明する。
まず、ＣＰＵ６２は、表示画面１２ａに再生表示された画像に文字列が含まれているか否かを判別する（ステップＳ７１）。この際、ＣＰＵ６２は、前記画像について画像認識処理を行ない、この画像の色や濃淡、距離などからパターン認識により文字列の存在有無を判別する。そして、ＣＰＵ６２は、前記画像に文字列が存在しないと判別した場合は、ステップＳ７２〜Ｓ７４において、前記実施の形態の第１例における部分拡大表示処理１（図３参照）のステップＳ３〜Ｓ５に記した処理と同様の処理を行なって、ステップＳ１１０に移行する。
【０１３９】
一方、ＣＰＵ６２は上記ステップＳ７１において、前記画像に文字列が存在すると判別した場合は、その文字列が横書きであるか否かを判別し（ステップＳ７５）、横書きでないと判別した場合は縦書きであると判断し、ステップＳ９３に移行する。
【０１４０】
また、ＣＰＵ６２は、文字列が横書きであると判別した場合は、表示画面１２ａを９つの表示領域１〜９に区分した後、各表示領域の指定順序を図４（ａ）に示すように横方向を基準として設定する（ステップＳ７６）。
次いで、ＣＰＵ６２は、ステップＳ７７〜Ｓ７９において、前記実施の形態の第２例における部分拡大表示処理３（図８及び図９参照）のステップＳ５１〜Ｓ５３に記した処理と同様の処理を行ない、表示画面１２ａ上の各表示領域１〜９の中からユーザーにより指定されたいずれか１つ以上の表示領域について、その指定順序データをＲＡＭ６１のデータテーブル６１ａに格納する。
【０１４１】
その後、ＣＰＵ６２は、ユーザーにより指定された前記各表示領域が横方向に隣接して配置されているか否かを判別し（ステップＳ８０）、前記各表示領域が横方向に隣接して配置されていない場合は、データテーブル６１ａの繰り返し表示フラグＫの値を“０”に書き換えた後（ステップＳ８１）、ステップＳ８３に移行する。
【０１４２】
また、ＣＰＵ６２は上記ステップＳ８０において、前記各表示領域が横方向に隣接して配置されていると判別した場合は、この横方向に隣接する２つ以上の表示領域内の画像に含まれる文字列の行数Ｘを画像認識処理により識別し、識別した行数Ｘの値をＲＡＭ６１のデータテーブル６１ａに格納する（ステップＳ８２）。この際、前記画像に文字列が存在しない場合でも、指定された各表示領域の画像の順次拡大表示を１回は行なうことが望ましく、このため上記ステップＳ８２において文字列の行数Ｘが“０”と識別された場合でも、データテーブル６１ａには行数Ｘの値として“１”が格納される。
【０１４３】
次いで、ＣＰＵ６２はステップＳ８３，Ｓ８４において、前記実施の形態の第２例における部分拡大表示処理３（図８及び図９参照）のステップＳ５４，Ｓ５５に記した処理と同様の処理を行ない、表示時間設定フラグＴの値に応じて表示時間データ（ユーザー設定値データ）を設定する。
【０１４４】
そして、ＣＰＵ６２は、以降、ステップＳ８５〜Ｓ９２までの一連の処理において、前記実施の形態の第２例における部分拡大表示処理３（図８及び図９参照）のステップＳ５８〜Ｓ６６に記した処理と同様の処理を行ない、ユーザーにより指定された各表示領域の画像をその指定順序に従って、所定表示時間（標準設定値データ、或いはユーザー設定値データに基づく表示時間）毎に表示画面１２ａに順次拡大表示するとともに、繰り返し表示機能がＯＮ設定されている場合は、前記各画像の順次拡大表示を上記ステップＳ８２において識別した文字列の行数Ｘの値分だけ繰り返して行なう。
【０１４５】
一方、ＣＰＵ６２は上記ステップＳ７５において、文字列が横書きでないと判別した場合は縦書きであると判別し、以降、ステップＳ９３〜Ｓ１０９までの一連の処理において、上記ステップＳ７６〜Ｓ９２に記した文字列が横書きの場合の処理と同様にして文字列が縦書きの場合の処理を実行し、特に、ユーザーにより指定された各表示領域が縦方向に隣接して配置され、この複数の表示領域内の画像に文字列が含まれている場合は、その文字列の列数Ｙを識別し、前記各表示領域の画像をその指定順序に従って、所定表示時間毎に表示画面１２ａに順次拡大表示するとともに、繰り返し表示機能がＯＮ設定されている場合は、前記各画像の順次拡大表示を前記識別した文字列の列数Ｙの値分だけ繰り返して行なう。
【０１４６】
そして、ＣＰＵ６２はステップＳ１１０，Ｓ１１１において、前記実施の形態の第１例における部分拡大表示処理１（図３参照）のステップＳ１４，Ｓ１５に記した処理と同様の処理を行なった後、当該部分拡大表示処理４を終了する。
【０１４７】
図１５は、この部分拡大表示処理４の動作を説明する説明図であり、例えば、同図（ａ）に示すように表示画面１２ａにおいて、上段左端、上段中央、上段右端の順に表示領域（図中斜線部）が指定され（ステップＳ７７〜Ｓ７９）、この上段左端から上段右端に到る表示領域内の画像に３行の文字列が存在する場合、ＣＰＵ６２は、前記文字列の行数Ｘが３行であることを識別し（ステップＳ８２）、この３つの表示領域の画像をその指定順序に従って、所定表示時間毎に表示画面１２ａに順次拡大表示するとともに（ステップＳ８９）、前記各画像の順次拡大表示を３回（行数Ｘ）繰り返して行なう（ステップＳ８９〜Ｓ９２）。
【０１４８】
なお、図１５（ｂ）は、上段右端、中段右端、下段右端の順に表示領域（図中斜線部）が指定され（ステップＳ９４〜Ｓ９６）、この上段右端から下段右端に到る表示領域内の画像に３列の文字列が存在する場合について示したものであり、この場合も上述した場合と同様に、ＣＰＵ６２は、前記文字列の列数Ｙが３列であることを識別し（ステップＳ９９）、この３つの表示領域の画像をその指定順序に従って、所定表示時間毎に表示画面１２ａに順次拡大表示するとともに（ステップＳ１０６）、前記各画像の順次拡大表示を３回（列数Ｙ）繰り返して行なう（ステップＳ１０６〜Ｓ１０９）。
以上がデジタルカメラ３のＣＰＵ６２において実行される部分拡大表示処理４の動作手順である。
【０１４９】
以上のようなことから本実施の形態におけるデジタルカメラ３によれば、ＣＰＵ６２（表示制御手段及び行列数識別手段）は、「＋」キー１７、「−」キー１８、セレクトキー１６ａ（指定手段）の押圧操作により指定された隣接する２つ以上の表示領域内の画像に文字列が含まれている場合、この文字列の行数Ｘ、または列数Ｙを識別し、前記指定された各表示領域の画像を、ＲＡＭ６１に展開されたデータテーブル６１ａ（指定順序記憶手段）に記憶した当該各表示領域の指定順序データに従って表示部１２（表示部）の表示画面１２ａに順次拡大表示するとともに、この各表示領域の画像の順次拡大表示を前記識別した文字列の行数Ｘ、または列数Ｙの値分だけ繰り返して行なう。
【０１５０】
したがって、ユーザーにより指定された隣接する２つ以上の表示領域内の画像に文字列が含まれている場合、前記各表示領域の画像をその指定順序に従って表示画面１２ａに順次拡大表示する際に、各画像の順次拡大表示を前記文字列の行数、または列数分だけ繰り返して行なうので、拡大表示される各画像に含まれる文字列の判読が行ない易くなり、また、前記文字列をユーザーに確実に判読させることができる。
【０１５１】
また、本実施の形態におけるデジタルカメラ３によれば、ＣＰＵ６２（表示制御手段）は、キー入力部３７（設定手段）により機能設定処理（図示省略）において繰り返し表示機能が無効に設定された場合（ＯＦＦ設定）は、繰り返し表示を行なわない。
【０１５２】
したがって、繰り返し表示機能の有効、無効を設定することができるので、拡大表示させる画像の内容に応じて繰り返し表示機能のＯＮ／ＯＦＦ切換えを行なうことが可能となる。
以上が実施の形態の第３例についての説明である。
【０１５３】
（第４の実施の形態）
上記実施の形態の第１例〜第３例では、デジタルカメラ（撮像機能を有する画像表示装置）の表示部において再生表示した画像の部分拡大表示を行なう場合について述べたが、本実施の形態では、デジタルカメラ（画像入力装置）とパーソナルコンピュータ（コンピュータ）とからなる画像処理システムにおいて、パーソナルコンピュータに備わる表示部でデジタルカメラにより撮像された画像の部分拡大表示を行なう場合について述べるものとする。
【０１５４】
実施の形態の第４例について図１６及び図１７を参照して説明する。
まず、構成を説明する。
図１６は、実施の形態の第４例におけるデジタルカメラ４の内部回路構成を示すブロック図である。
【０１５５】
なお、この図１６において、上記実施の形態の第１例におけるデジタルカメラ１のブロック構成（図２参照）と同一の構成要素には同一番号を付し、要部のみを説明するものとする。
【０１５６】
同図においてデジタルカメラ４は、前記図２に示した表示部１２、ＣＣＤ２５、バッファ２６、Ａ／Ｄ変換器２７、駆動回路２８、タイミングジェネレータ２９、シグナルジェネレータ３０、ＶＲＡＭ３１、ＤＲＡＭ３２、圧縮／伸長回路３３、フラッシュメモリ３４、ＲＡＭ３６、キー入力部３７、Ｄ／Ａ変換器３９、バッファ４０、Ｉ／Ｏポート４１、バッファ４２、及びスピーカー４３と、ＲＯＭ７０、ＣＰＵ７１、及び赤外線通信部７２とにより構成されている。
【０１５７】
ＲＯＭ７０は、当該デジタルカメラ４と外部機器との間で行なわれるデータ通信（例えば、シリアル入出力端子２０ｃにＲＳ２３２Ｃなどのケーブルを介して接続された外部機器と当該デジタルカメラ４との間で行なわれるデータ通信（有線）や、赤外線通信機能を備える外部機器と当該デジタルカメラ４との間で行なわれる赤外線によるデータ通信（無線））を制御する通信制御処理（図示省略）などの、ＣＰＵ７１により実行されるデジタルカメラ４の各部を制御するための各種制御プログラムを格納する。この各種制御プログラムは、ＣＰＵ７１が読み取り可能なプログラムコードの形態で記憶されている。
【０１５８】
ＣＰＵ７１は、ＲＯＭ７０に格納される各種制御プログラムに従ってデジタルカメラ４の各部を制御する中央演算処理装置である。具体的には、ＣＰＵ７１は、モード切換スイッチ１３がスライド操作されて通信モードが指定されると、当該デジタルカメラ４と外部機器との間で行なわれるデータ通信の通信形態に応じた通信制御処理プログラムをＲＯＭ７０から読み出して実行し、当該デジタルカメラ４と外部機器との間で行なわれるデータ通信を制御する。
【０１５９】
赤外線通信部７２は、ＩｒＤＡ（Infrared Data Association ）方式に対応する赤外線通信を行なうためのインターフェース回路であり、送信データ（画像データ、制御信号など）をＩｒ信号に変調する変調部と、この変調されたＩｒ信号を赤外線パルスにより送信する送信用ＬＥＤと、ＩｒＤＡ方式の赤外線通信機能を備えた外部機器から赤外線パルスとして送信されるＩｒ信号を受信するフォトダイオードと、当該フォトダイオードにより受信されたＩｒ信号を受信データとして復調する復調部と、により構成されている。
【０１６０】
Ｉ／Ｏポート４１は、当該デジタルカメラ４とシリアル入出力端子２０ｃ及びケーブルを介して接続された外部機器との間で授受されるシリアルデータ（画像データ、制御信号など）を制御するインターフェースである。
以上が本実施の形態におけるデジタルカメラ４の構成である。
【０１６１】
次に、図１７は、デジタルカメラ４の外部機器として設けられたパーソナルコンピュータ１００の内部回路構成を示すブロック図である。
同図においてパーソナルコンピュータ１００は、入力装置１１１、ＲＡＭ１１２、Ｉ／Ｏポート１１３、圧縮／伸長回路１１４、赤外線通信部１１５、ＣＰＵ１１６、表示装置１１７、印刷装置１１８、及び記憶装置１１９により構成されており、各部はバス１２１によって接続されている。
【０１６２】
入力装置１１１は、キー入力部やマウスなどによって構成されており、キー入力部は、ファンクションキー、数値キー、文字キー及び他キーを有し、ユーザーによる各キー入力操作に応じた各種操作信号をＣＰＵ１１６に出力する。また、マウスは、表示装置１１７の表示画面１１７ａに表示されるアイコンや操作メニューの選択、部分拡大表示処理において各表示領域の選択指定などを行なうポインティングデバイスであり、相対位置座標データ及びクリック信号などをＣＰＵ１１６に出力する。
【０１６３】
ＲＡＭ１１２は、ＣＰＵ１１６により各種制御処理が実行される際に、処理される各種データを一時的に格納するワークエリアを形成する。また、このＲＡＭ１１２には、ＣＰＵ１１６により記憶装置１１９を介して記憶媒体１２０から読み出される前記実施の形態の第２例及び第３例において示したデータテーブル５１ａ，６１ａ（図７、図１２参照）と同様の構成のデータテーブル（図示省略）が展開される。
【０１６４】
Ｉ／Ｏポート１１３は、当該パーソナルコンピュータ１００とシリアル入出力端子１１３ａ及びケーブルを介して接続された外部機器（例えば、デジタルカメラ４など）との間で授受されるシリアルデータを制御するインターフェースである。
【０１６５】
圧縮／伸長回路１１４は、外部機器からＩ／Ｏポート１１３、または赤外線通信部１１５を介して当該パーソナルコンピュータ１００に入力された画像データ、或いはＣＰＵ１１６により記憶装置１１９を介して記憶媒体１２０から読み出された画像データが圧縮処理されている場合に、ＣＰＵ１１６からの指示に基づいてこの画像データを復号化して伸長処理し、ＲＡＭ１１２に展開する。また、逆に、ＣＰＵ１１６からの指示に基づいてＲＡＭ１１２に展開されている画像データを所定の符号化方式により圧縮処理する。圧縮処理された画像データは、ＣＰＵ１１６により記憶装置１１９を介して記憶媒体１２０に格納されたり、或いは、Ｉ／Ｏポート１１３、または赤外線通信部１１５を介して外部機器に送信される。
【０１６６】
赤外線通信部１１５は、ＩｒＤＡ方式に対応する赤外線通信を行なうためのインターフェース回路であり、上述したデジタルカメラ４の赤外線通信部７２と同様の構成を有するので説明を省略する。
【０１６７】
ＣＰＵ１１６は、記憶媒体１２０に格納される各種制御プログラムやアプリケーションプログラムなどに従ってパーソナルコンピュータ１００の各部を制御する中央演算処理装置である。具体的にはＣＰＵ１１６は、入力装置１１１から通信モードに移行する旨が指示されると、当該パーソナルコンピュータ１００と外部機器との間で行なわれるデータ通信の通信形態に応じた通信制御処理プログラムを記憶装置１１９を介して記憶媒体１２０から読み出して実行し、当該パーソナルコンピュータ１００と外部機器との間で行なわれるデータ通信を制御する。
【０１６８】
また、ＣＰＵ１１６は、入力装置１１１により画像表示モードに移行する旨が指示され、この画像表示モードにおいて部分拡大表示を行なう旨が指示された場合に、前記実施の形態の第２例及び第３例において示した部分拡大表示処理３，４（図８，図９、図１３，図１４参照）と同様の部分拡大表示機能を当該パーソナルコンピュータ１００において実現する部分拡大表示処理プログラムを記憶装置１１９を介して記憶媒体１２０から読み出し、当該プログラムを実行する。
【０１６９】
この部分拡大表示処理（図示省略）においてＣＰＵ１１６は、前記実施の形態の第２例において示した部分拡大表示処理３（図８及び図９参照）と同様の部分拡大表示機能を実現し、マウスにより指定された１つ以上の表示領域の画像をその指定順序に従って、所定表示時間（標準設定値データ、或いはユーザー設定値データに基づく表示時間）毎に表示画面１１７ａに順次拡大表示するとともに、繰り返し表示機能がＯＮ設定されている場合は、前記各画像の順次拡大表示を設定された繰り返し表示回数分だけ繰り返して行なう。
【０１７０】
また、ＣＰＵ１１６は、前記実施の形態の第３例において示した部分拡大表示処理４（図１３及び図１４参照）と同様の部分拡大表示機能を実現し、マウスにより指定された隣接する２つ以上の表示領域内の画像に文字列が含まれている場合は、その文字列の行数Ｘ、或いは列数Ｙを識別し、前記各表示領域の画像をその指定順序に従って、所定表示時間（標準設定値データ、或いはユーザー設定値データに基づく表示時間）毎に表示画面１１７ａに順次拡大表示するとともに、繰り返し表示機能がＯＮ設定されている場合は、前記各画像の順次拡大表示を識別した文字列の行数Ｘ、或いは列数Ｙの値分だけ繰り返して行なう。
【０１７１】
また、ＣＰＵ１１６は、入力装置１１１により設定モードに移行する旨が指示されると機能設定処理（図示省略）を実行し、入力装置１１１からの入力指示に基づいて、表示時間設定機能や繰り返し表示機能などの各種機能のＯＮ／ＯＦＦ設定を行なう。
【０１７２】
表示装置１１７は、ＣＲＴ（Cathode Ray Tube）や液晶ディスプレイなどにより構成され、ＣＰＵ１１６によりＲＡＭ１１２から読み出されて入力される表示データ（例えば、画像データなど）を表示画面１１７ａに表示する。また、この表示画面１１７ａ（或いは画像表示ウィンドウ）は部分拡大表示処理の際に、前述した実施の形態の第１例〜第３例におけるデジタルカメラ１〜３の表示画面１２ａと同様に９個の表示領域に区分される。
印刷装置１１８は、ＣＰＵ１１６によりＲＡＭ１１２から読み出されて入力される印刷データ（例えば、画像データなど）を所定用紙に印刷する。
【０１７３】
記憶装置１１９は、プログラムやデータなどが記憶される記憶媒体１２０を有しており、この記憶媒体１２０は磁気的、光学的記録媒体、若しくは半導体メモリにより構成されている。
【０１７４】
なお、上記記憶媒体１２０は記憶装置１１９に固定的に設けられたものであってもよいし、或いは、記憶装置１１９に着脱自在に装着するものであってもよい。
【０１７５】
この記憶媒体１２０には前述した部分拡大表示処理、機能設定処理などの各機能を実現するプログラムがＣＰＵ１１６により読み取り可能なプログラムコードの形態で記憶されている。また、ＲＡＭ１１２に展開される前記実施の形態の第２例及び第３例において示したデータテーブル５１ａ，６１ａ（図７、図１２参照）と同様の構成のデータテーブル（図示省略）が記憶されている。
【０１７６】
この記憶媒体１２０に記憶されるプログラム、データなどは、通信回線などを介して接続された他の機器から受信して記憶する構成としてもよく、更に、通信回線などを介して接続された他の機器側に上記記憶媒体１２０を備えた記憶装置１１９を設け、この記憶媒体１２０に記憶されているプログラム、データなどを通信回線を介して使用する構成としてもよい。
以上が本実施の形態におけるパーソナルコンピュータ１００の構成である。
【０１７７】
このような構成のデジタルカメラ４及びパーソナルコンピュータ１００の両シリアル入出力端子２０ｃ，１１３ａ間をケーブルで接続し、両者の間で有線通信を行なうことにより構築される画像処理システム、或いは、デジタルカメラ４とパーソナルコンピュータ１００との間でＩｒＤＡ方式の赤外線通信を行なうことにより構築される画像処理システムによれば、パーソナルコンピュータ１００では、デジタルカメラ４により撮像された画像データについて、前記実施の形態の第２例及び第３例において示した部分拡大表示処理３，４（図８，図９、図１３，図１４参照）と同様の部分拡大表示機能を当該パーソナルコンピュータ１００において実現することが可能となる。
【０１７８】
この際、パーソナルコンピュータ１００では、ＣＰＵ１１６により記憶装置１１９を介して記憶媒体１２０に格納されている部分拡大表示処理に関する制御プログラムを読み出して実行することで、前記実施の形態の第２例、第３例において示した部分拡大表示処理３，４（図８，図９、図１３，図１４参照）と同様の部分拡大表示機能を当該パーソナルコンピュータ１００において実現する。
【０１７９】
なお、本実施の形態におけるパーソナルコンピュータ１００では、グラフィック用アプリケーションプログラムなどにより当該パーソナルコンピュータ１００上で作成された画像データや、記憶装置１１９に着脱自在に装着される記憶媒体１２０を介して当該パーソナルコンピュータ１００に取り込まれた画像データに対しても同様に上述した部分拡大表示機能を適用することが可能である。
【０１８０】
以上、本発明を実施の形態の第１例〜第４例に基づいて具体的に説明したが、本発明は上記実施の形態例に限定されるものではなく、その要旨を逸脱しない範囲で適宜に変更可能であることは勿論である。
【０１８１】
例えば、上記実施の形態の第１例〜第４例においては、デジタルカメラ１〜３の表示部１２の表示画面１２ａ、或いはパーソナルコンピュータ１００の表示装置１１７の表示画面１１７ａ（或いは画像表示ウィンドウ）を９つの表示領域に区分したが、当該区分される表示領域の数、その区分形状などは上記実施の形態例に限定されるものでない。
【０１８２】
また、上記実施の形態の第１例〜第３例においては、本発明の画像表示装置をデジタルカメラに適用した場合を例に挙げて説明したが、これはデジタルカメラに限定されるものではなく、例えば、ビデオカメラなどであってもよい。同様に、上記実施の形態の第４例において、画像入力装置はデジタルカメラに限定されるものではなく、例えば、光センサを用いて画像を読み取るイメージスキャナであってもよい。
【０１８３】
また、本発明は、例えば、ＣＣＤカメラを備えたＰＣＭＣＩＡ（Personal Computer Memory Card International Association ）規格のＰＣカメラカードなどを装着することにより撮像機能（画像入力機能）を有することとなるパーソナルコンピュータなどの電子機器に対しても適用可能である。
【０１８４】
また、上記実施の形態の第１例〜第３例におけるデジタルカメラでは、各種制御プログラムを記憶媒体であるＲＯＭに格納する構成としたが、記憶媒体はＲＯＭに代表される半導体メモリに限定されるものではなく、磁気的、光学的記録媒体などであってもよい。また、この記憶媒体は、デジタルカメラに対して着脱自在に装着可能なものであってもよい。
【０１８５】
【発明の効果】
請求項１記載の発明によれば、ユーザーにより指示された方向に基づいて各表示領域の指定順序（各表示領域を指定するための指定キーの押圧操作回数）が設定されるので、例えば、縦方向や横方向に連続して連なる複数の表示領域（図１９参照）に拡大表示させたい画像が存在する場合、この画像の存在する前記複数の表示領域を連続して指定することが、また、この複数の表示領域の各画像を連続して表示部に拡大表示させることが可能となり、表示領域の指定に係わる操作性及び拡大表示させる画像の視認性を高めることができる。
その結果、画像表示装置における部分拡大表示機能の使い勝手を向上することができる。
【０１８６】
請求項２記載の発明によれば、再生表示された画像に文字列が含まれている場合、この文字列の表記方向に基づいて各表示領域の指定順序（各表示領域を指定するための指定キーの押圧操作回数）が設定されるので、縦書きや横書きの文字列が含まれた画像（例えば、名刺、看板など）について部分拡大表示を行なう際に、文字列の表記方向に応じて複数の表示領域を連続して指定することが、また、この複数の表示領域の各画像を連続して表示部に拡大表示させることが可能となり、表示領域の指定に係わる操作性を高めることができるとともに、順次拡大表示される画像に含まれる文字列の判読が行ない易くなる。
その結果、画像表示装置における部分拡大表示機能の使い勝手を向上することができる。
【０１８７】
請求項３記載の発明によれば、拡大表示させたい表示領域の画像のみを、その表示領域の指定順序に従って表示部に順次拡大表示させることが可能となり、画像表示装置における部分拡大表示機能の使い勝手を向上することができる。
【０１８８】
請求項４記載の発明によれば、ユーザーにより指定された各表示領域の画像をその指定順序に従って順次拡大表示させる際に、各画像の拡大表示時間を任意の値に設定し、その表示速度を調整することが可能となり、部分拡大表示機能の使い勝手を向上することができる。
【０１８９】
請求項５記載の発明によれば、ユーザーにより指定された各表示領域の画像をその指定順序に従って順次拡大表示させる際に、各画像の順次拡大表示を繰り返して行なうことが可能となり、拡大表示させる各画像をユーザーに確実に視認させることが可能となる。また、その繰り返し表示回数を任意の値に設定することが可能となり、部分拡表示大機能の使い勝手を向上することができる。
【０１９０】
請求項６記載の発明によれば、ユーザーにより指定された隣接する２つ以上の表示領域内の画像に文字列が含まれている場合、前記各表示領域の画像をその指定順序に従って表示部に順次拡大表示する際に、各画像の順次拡大表示を前記文字列の行数、または列数分だけ繰り返して行なうので、拡大表示される各画像に含まれる文字列の判読が行ない易くなり、また、前記文字列をユーザーに確実に判読させることができる。
その結果、画像表示装置における部分拡大表示機能の使い勝手を向上することができる。
【０１９１】
請求項７記載の発明によれば、繰り返し表示機能の有効、無効を設定することができるので、拡大表示させる画像の内容に応じて繰り返し表示機能のＯＮ／ＯＦＦ切換えを行なうことが可能となり、部分拡表示大機能の使い勝手を向上することができる。
【０１９２】
請求項８記載の発明によれば、撮像機能を有する画像表示装置において、撮像した画像に対する部分拡大表示の際に、上述した請求項１、請求項２、請求項３、請求項６の効果と同様の効果を奏する。
【０１９３】
請求項９及び請求項１１記載の発明によれば、画像入力装置とコンピュータとからなる画像処理システムの該コンピュータ側において、上述した請求項３の効果と同様の効果を奏し、画像処理システムにおける部分拡大表示機能の使い勝手を向上することができる。
【０１９４】
請求項１０及び請求項１２記載の発明によれば、画像入力装置とコンピュータとからなる画像処理システムの該コンピュータ側において、上述した請求項６の効果と同様の効果を奏し、画像処理システムにおける部分拡大表示機能の使い勝手を向上することができる。
【０１９５】
請求項１３及び請求項１４記載の発明によれば、画像入力装置とコンピュータとからなる画像処理システムにおいて、前記コンピュータによって記憶媒体に格納されているプログラムを読み出して実行することで、該コンピュータ側において上述した請求項３及び請求項６の効果と同様の効果を奏し、画像処理システムにおける部分拡大表示機能の使い勝手を向上することができる。
【図面の簡単な説明】
【図１】本発明を適用したデジタルカメラの外観形状を示す外観斜視図である。
【図２】図１のデジタルカメラの内部回路構成を示すブロック図である。
【図３】図２のＣＰＵにおいて実行される部分拡大表示処理１のフローチャートである。
【図４】図３に示す部分拡大表示処理において、「＋」キー、或いは「−」キーの押圧操作回数と、それにより指定される各表示領域との関係を示す図である。
【図５】図２のＣＰＵにおいて実行される部分拡大表示処理２のフローチャートである。
【図６】実施の形態の第２例におけるデジタルカメラの内部回路構成を示すブロック図である。
【図７】図６のＲＡＭに展開されるデータテーブルの一例を示す図である。
【図８】図６のＣＰＵにより実行される部分拡大表示処理３のフローチャート（その１）である。
【図９】図６のＣＰＵにより実行される部分拡大表示処理３のフローチャート（その２）である。
【図１０】図８及び図９に示す部分拡大表示処理３の動作手順を説明する説明図である。
【図１１】実施の形態の第３例におけるデジタルカメラの内部回路構成を示すブロック図である。
【図１２】図１１のＲＡＭに展開されるデータテーブルの一例を示す図である。
【図１３】図１１のＣＰＵにより実行される部分拡大表示処理４のフローチャート（その１）である。
【図１４】図１１のＣＰＵにより実行される部分拡大表示処理４のフローチャート（その２）である。
【図１５】図１３及び図１４に示す部分拡大表示処理４の動作手順を説明する説明図である。
【図１６】実施の形態の第４例におけるデジタルカメラの内部回路構成を示すブロック図である。
【図１７】パーソナルコンピュータの内部回路構成を示すブロック図である。
【図１８】従来の、部分拡大表示機能を備えたデジタルカメラにおいて、「＋」キー、或いは「−」キーの押圧操作回数と、それにより指定される各表示領域との関係を示す図である。
【図１９】従来の、部分拡大表示機能を備えたデジタルカメラにおいて、その表示画面に再生表示される撮像した画像の一例である。
【符号の説明】
１〜４  デジタルカメラ
５      カメラ部
６      本体部
１１      撮像レンズ
１２      表示部
１２ａ    表示画面
１６ａ    セレクトキー
１６ｂ    デリートキー
１７      「＋」キー
１８      「−」キー
１９      ズームキー
２５      ＣＣＤ
２８      駆動回路
２９      タイミングジェネレータ
３０      シグナルジェネレータ
３１      ＶＲＡＭ
３２      ＤＲＡＭ
３３      圧縮／伸長回路
３４      フラッシュメモリ
３５，５０，６０，７０    ＲＯＭ
３６，５１，６１          ＲＡＭ
３７                      キー入力部
３８，５２，６２，７１    ＣＰＵ
５１ａ，６１ａ            データテーブル
７２                      赤外線通信部
１００      パーソナルコンピュータ
１１１      入力装置
１１２      ＲＡＭ
１１３      Ｉ／Ｏポート
１１４      圧縮／伸長回路
１１５      赤外線通信部
１１６      ＣＰＵ
１１７      表示装置
１１８      印刷装置
１１９      記憶装置
１２０      記憶媒体
【図１】
0003780677.tif 000002
【図２】
0003780677.tif 000003
【図３】
0003780677.tif 000004
【図４】
0003780677.tif 000005
【図５】
0003780677.tif 000006
【図６】
0003780677.tif 000007
【図７】
0003780677.tif 000008
【図８】
0003780677.tif 000009
【図９】
0003780677.tif 000010
【図１０】
0003780677.tif 000011
【図１１】
0003780677.tif 000012
【図１２】
0003780677.tif 000013
【図１３】
0003780677.tif 000014
【図１４】
0003780677.tif 000015
【図１５】
0003780677.tif 000016
【図１６】
0003780677.tif 000017
【図１７】
0003780677.tif 000018
【図１８】
0003780677.tif 000019
【図１９】
0003780677.tif 000020